(57)【要約】【課題】光の利用効率を損なうことなく、色再現性を向上させる。【解決手段】液晶表示装置１０は、青色ＬＥＤ素子４０と、ピーク波長が５２０ｎｍ〜５４０ｎｍの範囲となるピークを含み且つその半値幅が６０ｎｍ未満とされる発光スペクトルの緑色蛍光体と、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有するＬＥＤ１７を備えるバックライト装置１２と、複数の着色部２９Ｒ，２９Ｇ，２９Ｂからなるカラーフィルタ２９を有し、バックライト装置１２からの光を利用して表示を行う液晶パネル１１と、を備える。【選択図】図１５
2015194636.tif 000002
【特許請求の範囲】
【請求項１】
青色光を発光する青色発光素子と、前記青色発光素子からの青色光に励起されて緑色光を発光する緑色蛍光体であって、ピーク波長が５２０ｎｍ〜５４０ｎｍの範囲となるピークを含み且つその半値幅が６０ｎｍ未満とされる発光スペクトルの緑色蛍光体と、前記青色発光素子からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有する光源を備える照明装置と、
少なくとも青色、緑色、赤色を呈する複数の着色部からなるカラーフィルタを有し、前記照明装置からの光を利用して表示を行う表示パネルと、
を備える表示装置。
【請求項２】
前記緑色蛍光体には、酸窒化物蛍光体が含有されている請求項１記載の表示装置。
【請求項３】
前記酸窒化物蛍光体は、サイアロン系蛍光体からなる請求項２記載の表示装置。
【請求項４】
前記サイアロン系蛍光体は、付活剤としてユーロピウムを用いたβ−ＳｉＡｌＯＮとされる請求項３記載の表示装置。
【請求項５】
前記赤色蛍光体には、複フッ化物蛍光体が含有されている請求項１から請求項４のいずれか１項に記載の表示装置。
【請求項６】
前記複フッ化物蛍光体は、付活剤としてマンガンを用いたケイフッ化カリウムとされる請求項５記載の表示装置。
【請求項７】
前記カラーフィルタのうち緑色を呈する前記着色部は、ピーク波長が５１０ｎｍ〜５５０ｎｍの範囲となるピークを含み且つその半値幅が１１０ｎｍ未満とされる透過スペクトルを有している請求項１から請求項６のいずれか１項に記載の表示装置。
【請求項８】
前記カラーフィルタのうち赤色を呈する前記着色部は、ピークの立ち上がり位置が５６０ｎｍ以上となる透過スペクトルを有している請求項１から請求項７のいずれか１項に記載の表示装置。
【請求項９】
前記青色発光素子は、ピーク波長が４３０ｎｍ〜４６０ｎｍの範囲となるピークを含む発光スペクトルを有している請求項１から請求項８のいずれか１項に記載の表示装置。
【請求項１０】
前記カラーフィルタのうち青色を呈する前記着色部は、ピーク波長が４４０ｎｍ〜４８０ｎｍの範囲となるピークを含み且つその半値幅が１１０ｎｍ未満とされる透過スペクトルを有している請求項９記載の表示装置。
【請求項１１】
前記カラーフィルタを構成する前記着色部には、黄色を呈するものが含まれている請求項１から請求項１０のいずれか１項に記載の表示装置。
【請求項１２】
前記カラーフィルタのうち黄色を呈する前記着色部は、ピークの立ち上がり位置が４６０ｎｍ〜５６０ｎｍの範囲となる透過スペクトルを有している請求項１１記載の表示装置。
【請求項１３】
前記光源は、光を発する発光面を有するとともにその発光面が前記表示パネルの板面に対して対向する形となるよう配されている請求項１から請求項１２のいずれか１項に記載の表示装置。
【請求項１４】
前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている請求項１から請求項１２のいずれか１項に記載の表示装置。
【請求項１５】
請求項１から請求項１４のいずれか１項に記載された表示装置と、テレビ信号を受信可能な受信部とを備えるテレビ受信装置。
【発明の詳細な説明】
【技術分野】
【０００１】
本発明は、表示装置及びテレビ受信装置に関する。
【背景技術】
【０００２】
液晶表示装置の主要部品である液晶パネルは、大まかには一対のガラス基板間に液晶を封止した構成とされ、両ガラス基板のうち、一方側がアクティブ素子であるＴＦＴなどが設けられたアレイ基板とされるのに対し、他方側がカラーフィルタなどが設けられたＣＦ基板とされる。ＣＦ基板におけるアレイ基板と対向する内面には、赤色、緑色、青色の各色に対応した着色部を、アレイ基板の各画素に対応して多数個並列してなるカラーフィルタが形成されている。バックライトから照射され、液晶を透過した光は、カラーフィルタをなす赤色、緑色、青色の各着色部に対応した所定の波長のみが選択的に透過されることで、液晶パネルに画像が表示されるようになっている。このような液晶表示装置の一例として下記特許文献１に記載されたものが知られている。
この特許文献１には、青色発光ＬＥＤと黄色発光の蛍光体で構成された二波長白色ＬＥＤバックライトを光源に用いた液晶表示装置において、透光基材の一面に５８０ｎｍから６００ｎｍの間の波長領域に吸収極大値を有する可視光吸収色素を含有したバインダー樹脂層または粘着層を積層した色補正フィルムにより、効率的に緑色と赤色を分離し色再現性を改善するようにしたものが記載されている。
【先行技術文献】
【特許文献】
【０００３】
【特許文献１】特開２０１２−２７２９８号公報
【発明の概要】
【発明が解決しようとする課題】
【０００４】
上記した特許文献１に記載された色補正フィルムは、吸収極大値となる波長以外の波長の光（例えば青色光など）についても吸収し、可視光領域の全体にわたって光を吸収してしまう。このため、光の利用効率が悪化し、輝度の低下または消費電力の増加を招くおそれがあった。そうかといって、例えばカラーフィルタの膜厚を増加させることで色再現性を向上させようとすると、カラーフィルタの光透過率が減少するため、やはり光の利用効率が悪化する結果を招いていた。
【０００５】
本発明は上記のような事情に基づいて完成されたものであって、光の利用効率を損なうことなく、色再現性を向上させることを目的とする。
【課題を解決するための手段】
【０００６】
本発明の表示装置は、青色光を発光する青色発光素子と、前記青色発光素子からの青色光に励起されて緑色光を発光する緑色蛍光体であって、ピーク波長が５２０ｎｍ〜５４０ｎｍの範囲となるピークを含み且つその半値幅が６０ｎｍ未満とされる発光スペクトルの緑色蛍光体と、前記青色発光素子からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有する光源を備える照明装置と、少なくとも青色、緑色、赤色を呈する複数の着色部からなるカラーフィルタを有し、前記照明装置からの光を利用して表示を行う表示パネルと、を備える。
【０００７】
このようにすれば、照明装置に備えられる光源から発せられた光が表示パネルに供給されると、その光が表示パネルに有されて少なくとも青色、緑色、赤色を呈する複数の着色部からなるカラーフィルタを透過して表示パネルから出射されることで、表示パネルに画像が表示される。ここで、照明装置に備えられる光源は、青色発光素子から発せられる青色光と、青色光に励起された緑色蛍光体から発せられる緑色光と、青色光に励起された赤色蛍光体から発せられる赤色光と、により全体として概ね白色となる光を発光するものとされる。
【０００８】
そして、光源に有される緑色蛍光体は、ピーク波長が５２０ｎｍ〜５４０ｎｍの範囲となるピークを含み且つその半値幅が６０ｎｍ未満とされる発光スペクトルを有しているから、緑色蛍光体から発せられる緑色光の色純度が十分に高いものとされる。その上で、光源に有される赤色蛍光体は、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有しているから、赤色蛍光体から発せられる赤色光の色純度が十分に高いものとされる。特に、赤色蛍光体の発光スペクトルのメインピークにおける半値幅が１０ｎｍ未満とされることで、それを超える大きさにした場合に比べると、高い色純度が得られている。しかも、赤色蛍光体の発光スペクトルのメインピークにおけるピーク波長が上記した数値範囲の下限値（６２９ｎｍ）以上とされることで、それよりも短波長側にした場合に比べると、色相が黄色寄りにずれることが避けられる。さらには、赤色蛍光体の発光スペクトルのメインピークにおけるピーク波長が上記した数値範囲の上限値（６３５ｎｍ）以下とされることで、それよりも長波長側にした場合に比べると、視感度のピークである５５５ｎｍにより近くなるので、赤色光の明るさが十分に得られる。また、緑色蛍光体の発光スペクトルのピークにおける半値幅が６０ｎｍ未満とされることで、それを超える大きさにした場合に比べると、高い色純度が得られている。また、緑色蛍光体の発光スペクトルのピーク波長が上記した数値範囲の下限値（５２０ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。また、緑色蛍光体の発光スペクトルのピーク波長が上記した数値範囲の上限値（５４０ｎｍ）以下とされることで、それよりも長波長側にした場合に比べると、色相が黄色寄りにずれることが避けられる。これにより、光源からの光を、カラーフィルタを構成する各色の着色部に透過させて得られる表示パネルの出射光に係る色度領域に関して、緑色及び赤色の各色域がそれぞれ拡張されるので、表示パネルに表示される画像に係る色再現性が向上する。従って、従来のように色補正フィルムを用いたり、カラーフィルタの膜厚を増したりすることで、色再現性の向上を図るようにしたものに比べると、光の利用効率を損なうことなく色再現性の向上を図ることができる。以上により、表示パネルの出射光における色度領域を、少なくともＣＩＥ１９７６色度図においてＤＣＩ（Digital Cinema Initiative）規格に係るＤＣＩ色度領域と同等またはそれ以上（面積比で１００％または１００％以上）の広さとすることが可能となり、もって高い色再現性を得ることができる。
【０００９】
本発明の実施態様として、次の構成が好ましい。
（１）前記緑色蛍光体には、酸窒化物蛍光体が含有されている。このようにすれば、例えば硫化物や酸化物からなる蛍光体を用いた場合に比べて、発光効率に優れるとともに耐久性に優れたものとなる。
【００１０】
（２）前記酸窒化物蛍光体は、サイアロン系蛍光体からなる。このようにすれば、発光スペクトルに含まれるピークの半値幅が十分に狭くなることで色純度の高い緑色光を発光することができる。
【００１１】
（３）前記サイアロン系蛍光体は、付活剤としてユーロピウムを用いたβ−ＳｉＡｌＯＮとされる。このようにすれば、発光効率及び耐久性がより優れたものとなる。しかも、発光スペクトルに含まれるピークの半値幅がより狭くなることで色純度の高い緑色光を発光することができる。
【００１２】
（４）前記赤色蛍光体には、複フッ化物蛍光体が含有されている。このようにすれば、発光スペクトルに含まれるメインピークの半値幅が十分に狭くなることで色純度の高い赤色光を発光することができる。また、緑色蛍光体から発せられる緑色光を吸収し難いものとされているので、緑色光の利用効率が高く保たれる。
【００１３】
（５）前記複フッ化物蛍光体は、付活剤としてマンガンを用いたケイフッ化カリウムとされる。このようにすれば、材料として高価な希土類元素を用いていないので、赤色蛍光体並びに光源に係る製造コストが安価なものとなる。
【００１４】
（６）前記カラーフィルタのうち緑色を呈する前記着色部は、ピーク波長が５１０ｎｍ〜５５０ｎｍの範囲となるピークを含み且つその半値幅が１１０ｎｍ未満とされる透過スペクトルを有している。このようにすれば、緑色を呈する着色部に係る透過スペクトルに、緑色蛍光体の発光スペクトルのピークが全域にわたって含まれているから、光源から発せられた高い色純度の緑色光が、緑色を呈する着色部を効率的に透過する。これにより、光源からの緑色光に係る利用効率をより高く保つことができるとともに、表示パネルの出射光に係る色度領域における緑色の色域が広くなって色再現性により優れる。
【００１５】
（７）前記カラーフィルタのうち赤色を呈する前記着色部は、ピークの立ち上がり位置が５６０ｎｍ以上となる透過スペクトルを有している。このようにすれば、赤色を呈する着色部に係る透過スペクトルに、赤色蛍光体の発光スペクトルのメインピーク、第１サブピーク、及び第２サブピークがそれぞれ全域にわたって含まれているから、光源から発せられた高い色純度の赤色光が、赤色を呈する着色部を効率的に透過する。これにより、光源からの赤色光に係る利用効率をより高く保つことができるとともに、表示パネルの出射光に係る色度領域における赤色の色域が広くなって色再現性により優れる。
【００１６】
（８）前記青色発光素子は、ピーク波長が４３０ｎｍ〜４６０ｎｍの範囲となるピークを含む発光スペクトルを有している。このようにすれば、青色発光素子から発せられる青色光により緑色蛍光体及び赤色蛍光体を効率的に励起して緑色光及び赤色光を発光させることができる。
【００１７】
（９）前記カラーフィルタのうち青色を呈する前記着色部は、ピーク波長が４４０ｎｍ〜４８０ｎｍの範囲となるピークを含み且つその半値幅が１１０ｎｍ未満とされる透過スペクトルを有している。このようにすれば、青色を呈する着色部に係る透過スペクトルに、青色発光素子の発光スペクトルのピークが全域にわたって含まれているから、光源から発せられた高い色純度の青色光が、青色を呈する着色部を効率的に透過する。これにより、光源からの青色光に係る利用効率をより高く保つことができるとともに、表示パネルの出射光に係る色度領域における青色の色域が広くなって色再現性により優れる。
【００１８】
（１０）前記カラーフィルタを構成する前記着色部には、黄色を呈するものが含まれている。このようにすれば、光源からの光をカラーフィルタを構成する各色の着色部に透過して得られる表示パネルの出射光に係る色度領域に関して、緑色及び黄色の各色域がそれぞれさらに拡張されるので、表示パネルに表示される画像に係る色再現性がさらに向上する。そして、表示パネルの出射光における色度領域を、ＣＩＥ１９７６色度図に加えて、ＣＩＥ１９３１色度図においてもＤＣＩ規格に係るＤＣＩ色度領域と同等またはそれ以上（面積比で１００％または１００％以上）の広さとすることが可能となるので、より高い色再現性を得ることができる。
【００１９】
（１１）前記カラーフィルタのうち黄色を呈する前記着色部は、ピークの立ち上がり位置が４６０ｎｍ〜５６０ｎｍの範囲となる透過スペクトルを有している。このようにすれば、黄色を呈する着色部に係る透過スペクトルに、緑色蛍光体の発光スペクトルのピークが全域にわたって含まれるとともに赤色蛍光体の発光スペクトルのメインピーク、第１サブピーク、及び第２サブピークがそれぞれ全域にわたって含まれているから、光源から発せられた高い色純度の緑色光と赤色光とが、黄色を呈する着色部を効率的に透過する。これにより、光源からの緑色光及び赤色光に係る利用効率をより高く保つことができるとともに、表示パネルの出射光に係る色度領域における黄色の色域が広くなって色再現性により優れる。
【００２０】
（１２）前記光源は、光を発する発光面を有するとともにその発光面が前記表示パネルの板面に対して対向する形となるよう配されている。このようにすれば、光源の発光面から発せられた光は、発光面に対して対向する形となるよう配される表示パネルの板面に向けて照射される。このような直下型の照明装置によれば、光源からの光がエッジライト型で用いられる導光板などの部材を介することなく、表示パネルに供給されるから、光の利用効率に一層優れる。
【００２１】
（１３）前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている。このようにすれば、光源から発せられた光は、導光板の端面に有される光入射面に入射してから導光板内を伝播して拡散された後、導光板の板面に有される光出射面から面状の光として出射されて表示パネルへと照射される。このようなエッジライト型の照明装置によれば、直下型に比べると、複数の光源を使用する場合には光源の設置数を削減しつつ出射光に係る輝度均一性を十分に高くすることができる。
【００２２】
次に、上記課題を解決するために、本発明のテレビ受信装置は、上記記載の表示装置と、テレビ信号を受信可能な受信部とを備えるテレビ受信装置。このようなテレビ受信装置によれば、高輝度で且つ色再現性に優れたテレビ画像を表示することができる。
【発明の効果】
【００２３】
本発明によれば、光の利用効率を損なうことなく、色再現性を向上させることができる。
【図面の簡単な説明】
【００２４】
【図１】本発明の実施形態１に係るテレビ受信装置の概略構成を示す分解斜視図
【図２】テレビ受信装置が備える液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】液晶表示装置に備わるバックライト装置におけるシャーシと導光板とＬＥＤ基板との配置構成を示す平面図
【図７】図６のvii-vii線断面図
【図８】ＬＥＤ及びＬＥＤ基板の断面図
【図９】比較実験１の実施例１に係るＬＥＤにおける発光スペクトルと、実施例１に係るカラーフィルタの各着色部の透過スペクトルと、を示すグラフ
【図１０】比較実験１の実施例１に係る液晶パネルの出射光の各色の透過スペクトルと、実施例１に係るＬＥＤにおける発光スペクトルと、を示すグラフ
【図１１】比較実験１の比較例１に係るＬＥＤにおける発光スペクトルと、比較例１に係るカラーフィルタの各着色部の透過スペクトルと、を示すグラフ
【図１２】比較実験１の比較例１に係る液晶パネルの出射光の各色の透過スペクトルと、比較例１に係るＬＥＤにおける発光スペクトルと、を示すグラフ
【図１３】比較実験１の比較例２に係るＬＥＤにおける発光スペクトルと、比較例２に係るカラーフィルタの各着色部の透過スペクトルと、を示すグラフ
【図１４】比較実験１の比較例２に係る液晶パネルの出射光の各色の透過スペクトルと、比較例２に係るＬＥＤにおける発光スペクトルと、を示すグラフ
【図１５】比較実験１の実施例１及び比較例１，２におけるＬＥＤ及びカラーフィルタの特性と、実験結果の一覧と、を示す表
【図１６】比較実験１の実施例１及び比較例１，２における色度領域及び各規格の色度領域（図１５の表における各色度座標）を示したＣＩＥ１９３１色度図
【図１７】比較実験１の実施例１及び比較例１，２における色度領域及び各規格の色度領域（図１５の表における各色度座標）を示したＣＩＥ１９７６色度図
【図１８】本発明の実施形態２に係るテレビ受信装置の概略構成を示す分解斜視図
【図１９】液晶パネルの長辺方向に沿った断面構成を示す断面図
【図２０】アレイ基板の平面構成を示す拡大平面図
【図２１】ＣＦ基板の平面構成を示す拡大平面図
【図２２】比較実験２の実施例２に係るＬＥＤにおける発光スペクトルと、実施例２に係るカラーフィルタの各着色部の透過スペクトルと、を示すグラフ
【図２３】比較実験２の実施例２に係る液晶パネルの出射光の各色の透過スペクトルと、実施例２に係るＬＥＤにおける発光スペクトルと、を示すグラフ
【図２４】比較実験２の比較例３に係るＬＥＤにおける発光スペクトルと、比較例３に係るカラーフィルタの各着色部の透過スペクトルと、を示すグラフ
【図２５】比較実験２の比較例３に係る液晶パネルの出射光の各色の透過スペクトルと、比較例３に係るＬＥＤにおける発光スペクトルと、を示すグラフ
【図２６】比較実験２の比較例４に係るＬＥＤにおける発光スペクトルと、比較例４に係るカラーフィルタの各着色部の透過スペクトルと、を示すグラフ
【図２７】比較実験２の比較例４に係る液晶パネルの出射光の各色の透過スペクトルと、比較例４に係るＬＥＤにおける発光スペクトルと、を示すグラフ
【図２８】比較実験２の実施例２及び比較例３，４におけるＬＥＤ及びカラーフィルタの特性と、実験結果の一覧と、を示す表
【図２９】比較実験２の実施例２及び比較例３，４における色度領域及び各規格の色度領域（図２８の表における各色度座標）を示したＣＩＥ１９３１色度図
【図３０】比較実験２の実施例２及び比較例３，４における色度領域及び各規格の色度領域（図２８の表における各色度座標）を示したＣＩＥ１９７６色度図
【図３１】本発明の実施形態３に係る液晶表示装置の概略構成を示す分解斜視図
【図３２】バックライト装置の平面図
【図３３】液晶表示装置を長辺方向に沿って切断した断面構成を示す断面図
【図３４】液晶表示装置を短辺方向に沿って切断した断面構成を示す断面図
【図３５】本発明の実施形態４に係る液晶表示装置の概略構成を示す分解斜視図
【図３６】バックライト装置の平面図
【図３７】液晶表示装置を長辺方向に沿って切断した断面構成を示す断面図
【図３８】液晶表示装置を短辺方向に沿って切断した断面構成を示す断面図
【発明を実施するための形態】
【００２５】
＜実施形態１＞
本発明の実施形態１を図１から図１７によって説明する。本実施形態では、液晶表示装置１０について例示する。なお、各図面の一部にはＸ軸、Ｙ軸及びＺ軸を示しており、各軸方向が各図面で示した方向となるように描かれている。また、図３及び図７に示す上側を表側とし、同図下側を裏側とする。
【００２６】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓとを備えて構成される。液晶表示装置（表示装置）１０は、全体として横長（長手）の方形状（矩形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
先に、液晶パネル１１について説明する。液晶パネル１１は、図３に示すように、一対の透明な（透光性を有する）ガラス製の基板２０，２１間に、電界印加に伴って光学特性が変化する物質である液晶材料を含む液晶層２２を封入してなる。液晶パネル１１を構成する両基板２０，２１のうち裏側（バックライト装置１２側）に配されるものが、アレイ基板（ＴＦＴ基板、アクティブマトリクス基板）２０とされ、表側（光出射側）に配されるものが、ＣＦ基板（対向基板）２１とされている。アレイ基板２０及びＣＦ基板２１は、平面に視て横長の方形状をなしており、その長辺方向がＸ軸方向と、短辺方向がＹ軸方向とそれぞれ一致している。なお、両基板２０，２１の外面側には、表裏一対の偏光板２３がそれぞれ貼り付けられている。
【００２８】
アレイ基板２０における内面側（液晶層２２側、ＣＦ基板２１との対向面側）には、図４に示すように、３つの電極２４ａ〜２４ｃを有するスイッチング素子であるＴＦＴ（Thin Film Transistor）２４及び画素電極２５がアレイ基板２０の板面に沿って行列状（マトリクス状）に多数個ずつ並んで設けられるとともに、これらＴＦＴ２４及び画素電極２５の周りには、格子状をなすゲート配線２６及びソース配線２７が取り囲むようにして配設されている。画素電極２５は、ＩＴＯ（Indium Tin Oxide）などの透明導電膜からなる。ゲート配線２６及びソース配線２７は、共に金属膜からなる。ゲート配線２６とソース配線２７とがそれぞれＴＦＴ２４のゲート電極２４ａとソース電極２４ｂとに接続され、画素電極２５がドレイン配線（図示せず）を介してＴＦＴ２４のドレイン電極２４ｃに接続されている。アレイ基板２０には、ゲート配線２６に並行するとともに画素電極２５に対して平面に視て重畳する容量配線（補助容量配線、蓄積容量配線、Ｃｓ配線）３３が設けられている。容量配線３３は、Ｙ軸方向についてゲート配線２６と交互に配されている。ゲート配線２６がＹ軸方向に隣り合う画素電極２５の間に配されているのに対し、容量配線３３は、各画素電極２５におけるＹ軸方向のほぼ中央部を横切る位置に配されている。このアレイ基板２０の端部には、ゲート配線２６及び容量配線３３から引き回された端子部及びソース配線２７から引き回された端子部が設けられており、これらの各端子部には、図示しないコントロール基板から各信号または基準電位が入力されるようになっており、それにより行列状に並列配置された各ＴＦＴ２４の駆動が個別に制御される。また、アレイ基板２０の内面側には、液晶層２２に含まれる液晶分子を配向させるための配向膜２８が形成されている（図３）。
【００２９】
一方、ＣＦ基板２１における内面側（液晶層２２側、アレイ基板２０との対向面側）には、図３及び図５に示すように、アレイ基板２０側の各画素電極２５と平面に視て重畳する位置にカラーフィルタ２９がＣＦ基板２１の板面に沿って行列状に多数個ずつ並んで設けられている。カラーフィルタ２９は、赤色、緑色、青色をそれぞれ呈する各着色部２９Ｒ，２９Ｇ，２９Ｂが行方向（Ｘ軸方向、液晶パネル１１の長辺方向）に沿って交互に繰り返し並ぶことで着色部群を構成し、その着色部群が列方向（Ｙ軸方向、液晶パネル１１の短辺方向）に沿って多数並ぶ配置とされる。カラーフィルタ２９を構成する各着色部２９Ｒ，２９Ｇ，２９Ｂは、後に詳しく説明するが、各色（各波長）の光を選択的に透過するものとされる。また、各着色部２９Ｒ，２９Ｇ，２９Ｂの外形は、画素電極２５の外形に倣って平面に視て縦長の方形状をなしている。カラーフィルタ２９を構成する各着色部２９Ｒ，２９Ｇ，２９Ｂ間には、混色を防ぐための格子状をなす遮光部（ブラックマトリクス）３０が形成されている。遮光部３０は、アレイ基板２０側のゲート配線２６、ソース配線２７及び容量配線３３に対して平面視重畳する配置とされる。また、カラーフィルタ２９及び遮光部３０の表面には、図３に示すように、アレイ基板２０側の画素電極２５と対向する対向電極３１が設けられている。また、ＣＦ基板２１の内面側には、液晶層２２に含まれる液晶分子を配向させるための配向膜３２がそれぞれ形成されている。
【００３０】
当該液晶パネル１１においては、図３から図５に示すように、赤色、緑色、及び青色の３色の着色部２９Ｒ，２９Ｇ，２９Ｂ及びそれらに対向する３つの画素電極２５の組によって表示単位である１つの表示画素３４が構成されており、この表示画素３４は、両基板２０，２１の板面、つまり表示面（Ｘ軸方向及びＹ軸方向）に沿って多数ずつマトリクス状に並列配置されている。表示画素３４は、赤色着色部２９Ｒとそれに対向する画素電極２５との組からなる赤色画素３４Ｒと、緑色着色部２９Ｇとそれに対向する画素電極２５との組からなる緑色画素３４Ｇと、青色着色部２９Ｂとそれに対向する画素電極２５との組からなる青色画素３４Ｂと、から構成される。表示画素３４を構成する赤色画素３４Ｒ、緑色画素３４Ｇ、及び青色画素３４Ｂは、行方向（Ｘ軸方向、液晶パネル１１の長辺方向）に沿って繰り返し並んで配されることで画素群を構成し、その画素群が列方向（Ｙ軸方向、液晶パネル１１の短辺方向）に沿って多数並んで配されている。そして、図示しないコントロール基板により各画素３４Ｒ，３４Ｇ，３４Ｂが有する各ＴＦＴ２４の駆動が制御されることで、各ＴＦＴ２４に接続された各画素電極２５と対向電極３１との間に所定値の電圧が印加されると、その間に配された液晶層２２の配向状態が電圧に応じて変化し、もって各色の着色部２９Ｒ，２９Ｇ，２９Ｂを透過する光の透過光量が個別に制御される。
【００３１】
続いて、バックライト装置１２について詳しく説明する。バックライト装置１２は、図２に示すように、表側、つまり光出射側（液晶パネル１１側）に開口する光出射部１４ｃを有した略箱型をなすシャーシ１４と、シャーシ１４の光出射部１４ｃを覆う形で配される光学部材１５と、次述する導光板１９を表側から押さえるフレーム１６とを備えている。さらにはシャーシ１４内には、光源であるＬＥＤ（Light Emitting Diode：発光ダイオード）１７が実装されたＬＥＤ基板（光源基板）１８と、ＬＥＤ１７からの光を導光して光学部材１５（液晶パネル１１、光出射側）へと導く導光板１９とが収容されている。そして、このバックライト装置１２は、その長辺側の両端部に、ＬＥＤ１７を有するＬＥＤ基板１８が対をなす形で配されており、これら対をなすＬＥＤ基板１８によって導光板１９をその短辺方向（Ｙ軸方向、列方向）の両側方から挟み込んでいる。各ＬＥＤ基板１８に実装されたＬＥＤ１７は、液晶パネル１１における長辺側の各端部寄りに偏在するとともに、その端部に沿う方向、つまり長辺方向（Ｘ軸方向、行方向）に沿って複数ずつが間隔を空けて（間欠的に）並んで配されている。このように、本実施形態に係るバックライト装置１２は、いわゆるエッジライト型（サイドライト型）とされている。以下では、バックライト装置１２の各構成部品について詳しく説明する。
【００３２】
シャーシ１４は、例えばアルミニウム板や電気亜鉛めっき綱板（ＳＥＣＣ）などの金属板からなり、図２，図６及び図７に示すように、液晶パネル１１と同様に横長の方形状をなす底板１４ａと、底板１４ａにおける各辺（一対の長辺及び一対の短辺）の外端からそれぞれ表側に向けて立ち上がる側板１４ｂとからなる。シャーシ１４（底板１４ａ）は、その長辺方向がＸ軸方向と一致し、短辺方向がＹ軸方向と一致している。底板１４ａの裏側には、図示しないコントロール基板やＬＥＤ駆動回路基板などの基板類が取り付けられている。また、側板１４ｂには、フレーム１６及びベゼル１３がねじ止め可能とされる。
【００３３】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、互いに積層される複数枚（本実施形態では３枚）のシート状の部材からなるものとされる。具体的な光学部材（光学シート）１５の種類としては、例えば拡散シート、レンズシート、反射型偏光シートなどがあり、これらの中から適宜に選択して使用することが可能である。なお、図７では、都合上３枚の光学部材１５を１枚に簡略化して図示している。
【００３４】
フレーム１６は、図２に示すように、導光板１９の外周端部に沿って延在する枠状（額縁状）に形成されており、導光板１９の外周端部をほぼ全周にわたって表側から押さえることが可能とされる。このフレーム１６は、合成樹脂製とされるとともに、表面が例えば黒色を呈する形態とされることで、遮光性を有するものとされる。フレーム１６のうち両長辺部分における裏側の面、つまり導光板１９及びＬＥＤ基板１８（ＬＥＤ１７）との対向面には、図７に示すように、光を反射させるフレーム側反射シート１６Ｒがそれぞれ取り付けられている。フレーム側反射シート１６Ｒは、フレーム１６の長辺部分におけるほぼ全長にわたって延在する大きさを有しており、導光板１９におけるＬＥＤ１７と対向状をなす端部に直接当接されるとともに導光板１９の上記端部とＬＥＤ基板１８とを一括して表側から覆うものとされる。また、フレーム１６は、液晶パネル１１における外周端部を裏側から受けることができる。
【００３５】
ＬＥＤ１７は、図２及び図７に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、図８に示すように、発光源である青色ＬＥＤ素子（青色発光素子、青色ＬＥＤチップ）４０と、青色ＬＥＤ素子４０を封止する封止材（透光性樹脂材料）４１と、青色ＬＥＤ素子４０が収容されるとともに封止材４１が充填されるケース（収容体、筐体）４２とを備える。以下、図８を参照しつつＬＥＤ１７の構成部品について順次に詳しく説明する。
【００３６】
青色ＬＥＤ素子４０は、例えばＩｎＧａＮなどの半導体材料からなる半導体であり、順方向に電圧が印加されることで青色の波長領域（約４２０ｎｍ〜約５００ｎｍ）に含まれる波長の青色光を発光するものとされる。この青色ＬＥＤ素子４０は、図示しないリードフレームによってケース４２外に配されたＬＥＤ基板１８における配線パターンに接続される。封止材４１は、ＬＥＤ１７の製造工程では青色ＬＥＤ素子４０が収容されたケース４２の内部空間に充填されることで、青色ＬＥＤ素子４０及びリードフレームを封止するとともにこれらの保護を図るものとされる。封止材４１は、ほぼ透明な熱硬化性樹脂材料（例えば、エポキシ樹脂材料、シリコーン樹脂材料など）に、共に図示を省略する緑色蛍光体及び赤色蛍光体をそれぞれ所定の割合でもって分散配合した構成とされている。緑色蛍光体は、青色ＬＥＤ素子４０から発せられた青色光により励起されることで緑色の波長領域（約５００ｎｍ〜約５７０ｎｍ）に含まれる波長の緑色光を発光するものとされる。赤色蛍光体は、青色ＬＥＤ素子４０から発せられた青色光により励起されることで赤色の波長領域（約６００ｎｍ〜約７８０ｎｍ）に含まれる波長の赤色光を発光するものとされる。従って、ＬＥＤ１７の発光光は、青色ＬＥＤ素子４０から発せられる青色光（青色成分の光）と、緑色蛍光体から発せられる緑色光（緑色成分の光）と、赤色蛍光体から発せられる赤色光（赤色成分の光）と、から構成されていて、全体として概ね白色を呈するものとされる。つまり、このＬＥＤ１７は、白色発光するものとされる。なお、緑色蛍光体から発せられる緑色光と、赤色蛍光体から発せられる赤色光との合成により黄色光が得られることから、このＬＥＤ１７は、ＬＥＤチップからの青色成分の光と、黄色成分の光とを併せ持っている、とも言える。また、ＬＥＤ１７の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ１７の色度を調整することが可能とされている。なお、青色ＬＥＤ素子４０、緑色蛍光体、及び赤色蛍光体の各発光スペクトルの詳細などについては、後に詳しく説明する。
【００３７】
ケース４２は、表面が光の反射性に優れた白色を呈する合成樹脂材料（例えばポリアミド系樹脂材料）またはセラミック材料からなる。ケース４２は、全体として光出射側（発光面１７ａ側、ＬＥＤ基板１８側とは反対側）に開口部４２ｃを有する略箱型をなしており、大まかにはＬＥＤ基板１８の実装面に沿って延在する底壁部４２ａと、底壁部４２ａの外縁から立ち上がる側壁部４２ｂとを有している。このうち底壁部４２ａは、正面（光出射側）から視て方形状をなしているのに対し、側壁部４２ｂは、底壁部４２ａの外周縁に沿う略角筒状をなしていて正面から視ると方形の枠状をなしている。ケース４２を構成する底壁部４２ａの内面（底面）には、青色ＬＥＤ素子４０が配置されている。これに対して側壁部４２ｂには、リードフレームが貫通されている。リードフレームのうち、ケース４２内に配される端部が青色ＬＥＤ素子４０に接続されるのに対し、ケース４２外に導出される端部がＬＥＤ基板１８の配線パターンに接続される。
【００３８】
上記したＬＥＤ１７が複数実装されるＬＥＤ基板１８は、図２，図６及び図７に示すように、シャーシ１４の長辺方向（液晶パネル１１及び導光板１９におけるＬＥＤ１７側の端部、Ｘ軸方向）に沿って延在する、長手の板状をなしており、その板面をＸ軸方向及びＺ軸方向に並行させた姿勢、すなわち液晶パネル１１及び導光板１９（光学部材１５）の板面と直交させた姿勢でシャーシ１４内に収容されている。つまり、このＬＥＤ基板１８は、板面における長辺方向がＸ軸方向と、短辺方向がＺ軸方向とそれぞれ一致し、さらには板面と直交する板厚方向がＹ軸方向と一致した姿勢とされる。ＬＥＤ基板１８は、Ｙ軸方向について導光板１９を挟んだ位置に対をなす形で配されており、詳しくは導光板１９とシャーシ１４における長辺側の各側板１４ｂとの間に介在するようそれぞれ配され、シャーシ１４に対してはＺ軸方向に沿って表側から収容されるようになっている。各ＬＥＤ基板１８は、ＬＥＤ１７が実装される実装面１８ａとは反対側の板面がシャーシ１４における長辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸がＹ軸方向（液晶パネル１１の板面に並行する方向）とほぼ一致する。
【００３９】
ＬＥＤ基板１８の板面のうち、内側を向いた板面は、図２，図６及び図７に示すように、導光板１９の長辺側の端面（後述する光入射面１９ｂ）と対向状をなしており、当該板面には、複数（図６では２０個）のＬＥＤ１７がＬＥＤ基板１８の長辺方向（液晶パネル１１及び導光板１９の長辺方向、Ｘ軸方向）に沿って間隔を空けて並んで配されている。各ＬＥＤ１７は、ＬＥＤ基板１８における導光板１９側を向いた板面（導光板１９との対向面）に表面実装されており、ここが実装面１８ａとされている。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。また、Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４０】
導光板１９は、屈折率が空気よりも十分に高く且つほぼ透明な（透光性に優れた）合成樹脂材料（例えばＰＭＭＡなどのアクリル樹脂など）からなる。導光板１９は、図２及び図６に示すように、液晶パネル１１及びシャーシ１４の底板１４ａと同様に平面に視て横長の方形状をなす平板状とされることで、Ｘ軸方向及びＹ軸方向に沿う端面を４つ有するとともに、板面が液晶パネル１１及び光学部材１５の各板面と対向状をなしつつ並行している。導光板１９は、その板面における長辺方向がＸ軸方向と、短辺方向がＹ軸方向とそれぞれ一致し、且つ板面と直交する板厚方向（板面の法線方向）がＺ軸方向と一致している。導光板１９は、図７に示すように、シャーシ１４内において液晶パネル１１及び光学部材１５の直下位置に配されており、その外周端面のうちの長辺側の一対の端面がシャーシ１４における長辺側の両端部に配された対をなすＬＥＤ基板１８及びそこに実装された各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を長辺側の端面から導入するとともに、その光を内部で伝播させつつ光学部材１５側（表側、光出射側）へ向くよう立ち上げて板面から出射させる機能を有する。
【００４１】
平板状をなす導光板１９の板面のうち、表側を向いた板面（液晶パネル１１や光学部材１５との対向面）は、図６及び図７に示すように、内部の光を表側、つまり光学部材１５及び液晶パネル１１側に向けて出射させる光出射面１９ａとなっている。導光板１９における板面に対して隣り合う外周端面のうち、Ｘ軸方向（複数のＬＥＤ１７の並び方向、ＬＥＤ基板１８の長辺方向）に沿って長手状をなす一対の長辺側の端面は、それぞれＬＥＤ１７（ＬＥＤ基板１８）と所定の空間を空けて対向状をなしており、これらＬＥＤ１７から発せられた光が入射される一対の光入射面１９ｂとなっている。このＬＥＤ１７と光入射面１９ｂとの間に保有される空間の表側には、既述したフレーム側反射シート１６Ｒが配されているのに対し、同空間の裏側には、フレーム側反射シート１６Ｒとの間で同空間を挟み込む形で第１シャーシ側反射シート１４Ｒ１が配されている。両反射シート１４Ｒ１，１６Ｒは、上記空間に加えて導光板１９におけるＬＥＤ１７側の端部及びＬＥＤ１７をも挟み込む形で配されている。これにより、ＬＥＤ１７からの光を両反射シート１４Ｒ１，１６Ｒ間で繰り返し反射することで、光入射面１９ｂに対して効率的に入射させることができる。また、光入射面１９ｂは、Ｘ軸方向及びＺ軸方向に沿って並行する面とされ、光出射面１９ａに対して略直交する面とされる。また、ＬＥＤ１７と光入射面１９ｂとの並び方向は、Ｙ軸方向と一致しており、光出射面１９ａに並行している。
【００４２】
導光板１９の板面のうち、光出射面１９ａとは反対側の板面１９ｃには、図７に示すように、導光板１９内の光を反射して表側へ立ち上げることが可能な第２シャーシ側反射シート１４Ｒ２がその全域を覆う形で設けられている。言い換えると、第２シャーシ側反射シート１４Ｒ２は、シャーシ１４の底板１４ａと導光板１９との間に挟まれた形で配されている。なお、導光板１９における光出射面１９ａと反対側の板面１９ｃと、第２シャーシ側反射シート１４Ｒ２の表面との少なくともいずれか一方には、導光板１９内の光を散乱反射させる光反射部（図示せず）などが所定の面内分布を持つようパターニングされており、それにより光出射面１９ａからの出射光が面内において均一な分布となるよう制御されている。
【００４３】
ところで、従来では、液晶パネルに表示される画像に係る色再現性の向上を図るため、色補正フィルムによって光源からの黄色光を緑色と赤色とに分離するようにしていた。しかしながら、色補正フィルムは、光源からの光を可視光領域の全体にわたって吸収する性質を有しているため、光の利用効率が悪化し、輝度の低下または消費電力の増加を招くおそれがあった。そうかといって、例えばカラーフィルタの膜厚を増加させることで色再現性を向上させようとすると、カラーフィルタの光透過率が減少するため、やはり光の利用効率が悪化する結果を招いていた。
【００４４】
そこで、本実施形態では、ＬＥＤ１７に備えられる緑色蛍光体及び赤色蛍光体における各発光スペクトルを下記のようにしている。すなわち、緑色蛍光体は、図９に示すように、ピーク波長が５２０ｎｍ〜５４０ｎｍの範囲となるピークを含み且つその半値幅（半値全幅）が６０ｎｍ未満とされる発光スペクトルを有しているのに対し、赤色蛍光体は、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有している。具体的には、ＬＥＤ１７に備えられる緑色蛍光体は、発光スペクトルに含まれるピークのピーク波長が上記波長範囲の中の５３３ｎｍとされ且つピークの半値幅（５１０ｎｍから５６３ｎｍまでの幅）が５３ｎｍ程度とされるのが特に好ましい。ＬＥＤ１７に備えられる赤色蛍光体は、発光スペクトルに含まれるメインピークのピーク波長が上記波長範囲の中の６３０ｎｍとされ且つメインピークの半値幅（６２８ｎｍから６３６ｎｍまでの幅）が８ｎｍ程度とされ、第１サブピークのピーク波長が上記波長範囲の中の６１３ｎｍとされ、第２サブピークのピーク波長が上記波長範囲の中の６４７ｎｍとされるのが特に好ましい。また、赤色蛍光体の発光スペクトルに含まれるメインピークの半値幅は、緑色蛍光体の発光スペクトルに含まれるピークの半値幅に比べて相対的に狭くなっている。このような構成により、緑色蛍光体から発せられる緑色光の色純度が十分に高いものとされるとともに、赤色蛍光体から発せられる赤色光の色純度が十分に高いものとされる。これにより、ＬＥＤ１７からの光を、液晶パネル１１のカラーフィルタ２９を構成する各色の着色部２９Ｒ，２９Ｇ，２９Ｂに透過させて得られる液晶パネル１１の出射光に係る色度領域に関して、緑色及び赤色の各色域がそれぞれ拡張されるので、液晶パネル１１に表示される画像に係る色再現性が向上する。従って、本実施形態によれば、従来のように色補正フィルムを用いたり、カラーフィルタの膜厚を増したりすることで、色再現性の向上を図るようにしたものに比べると、光の利用効率を損なうことなく色再現性の向上を図ることができるのである。
【００４５】
なお、ここで言う発光スペクトルの「ピーク」とは、発光スペクトルの中の山状部分のことを指し、「ピーク波長」とは、上記山状部分の中の頂点における波長のことを指す。図９は、ＬＥＤ１７の発光スペクトルと、カラーフィルタ２９の分光透過率と、を表している。このうち、カラーフィルタ２９の分光透過率は、所定の基準光源からの白色光（例えば、Ｄ６５光源（０．３１５７，０．３２９０）、Ａ光源（０．４４７６，０．４０７４）、Ｂ光源（０．３４８４，０．３５１６）、Ｃ光源（０．３１０１，０．３１６１）など）をカラーフィルタ２９に透過させることで得ている。図９における横軸は、波長（単位：ｎｍ）を示している。一方、図９における縦軸の単位は、２種類あり、同図左側にカラーフィルタ２９を構成する各着色部２９Ｒ，２９Ｇ，２９Ｂの透過スペクトルに対応する単位として「分光透過率（単位：％）」を示し、同図右側に後述するＬＥＤ１７の発光スペクトルに対応する単位として「発光強度（無単位）」を示している。
【００４６】
続いて、緑色蛍光体及び赤色蛍光体に関して順次に詳しく説明する。緑色蛍光体には、少なくとも酸窒化物蛍光体の一種であるサイアロン系蛍光体が含有されている。サイアロン系蛍光体は、窒化ケイ素のシリコン原子の一部がアルミニウム原子に、窒素原子の一部が酸素原子に置換された物質、つまり酸窒化物である。酸窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。しかも、発光スペクトルに含まれるピークの半値幅が十分に狭くなることで色純度の高い緑色光を発光することができる。サイアロン系蛍光体には、付活剤として希土類元素（例えばＴｂ，Ｙｇ，Ａｇなど）が用いられる。そして、本実施形態に係る緑色蛍光体を構成するサイアロン系蛍光体は、β−ＳｉＡｌＯＮとされる。β−ＳｉＡｌＯＮは、サイアロン系蛍光体の一種であり、β型窒化ケイ素結晶にアルミニウムと酸素とが固溶した一般式Ｓｉ6-zＡｌzＯzＮ8-z（ｚは固溶量を示す）または（Ｓｉ，Ａｌ）6（Ｏ，Ｎ）8により表される物質である。本実施形態に係るβ−ＳｉＡｌＯＮには、付活剤として例えば希土類元素の一種であるＥｕ（ユーロピウム）が用いられている。これにより、発光スペクトルに含まれるピークの半値幅がより狭くなるので、色純度の高い緑色光を発光することができる。
【００４７】
赤色蛍光体には、少なくとも複フッ化物蛍光体が含有されている。この複フッ化物蛍光体は、一般式Ａ2ＭＦ6（ＭはＳｉ、Ｔｉ、Ｚｒ、Ｈｆ、Ｇｅ及びＳｎから選ばれる１種以上、ＡはＬｉ、Ｎａ、Ｋ、Ｒｂ及びＣｓから選ばれる１種以上）により表される。この複フッ化物蛍光体は、発光スペクトルに含まれるメインピークの半値幅が十分に狭くなっているので、色純度の高い赤色光を発光することができる。また、緑色蛍光体から発せられる緑色光を吸収し難いものとされているので、緑色光の利用効率が高く保たれる。複フッ化物蛍光体は、付活剤としてマンガンを用いたケイフッ化カリウム（Ｋ2ＳｉＦ6：Ｍｎ）とされる。このようなケイフッ化カリウムでは、材料として高価な希土類元素を用いていないので、赤色蛍光体並びにＬＥＤ１７に係る製造コストが安価なものとなっている。この複フッ化物蛍光体であるケイフッ化カリウムは、その発光スペクトルが特徴的なものとなっており、図９に示すように、１つのメインピークと、その長波長側と短波長側とに１つずつのサブピーク（第１サブピーク及び第２サブピーク）と、を有するものとされる。
【００４８】
さらには、本実施形態に係るＬＥＤ１７は、上記した緑色蛍光体及び赤色蛍光体の他に備える青色ＬＥＤ素子４０が次のような発光スペクトルを有するものとされている。すなわち、青色ＬＥＤ素子４０は、ピーク波長が青色の波長領域である４３０ｎｍ〜４６０ｎｍの範囲となるピークを含む発光スペクトルを有している。具体的には、青色ＬＥＤ素子４０は、ピーク波長が４４４ｎｍとなるピークを含み且つその半値幅（４３５ｎｍから４５５ｎｍまでの幅）が２０ｎｍ程度となる発光スペクトルを有するよう構成されるのが好ましい。この青色ＬＥＤ素子４０から発せられる青色光は、発光スペクトルのピークにおける半値幅が十分に狭くて色純度が高く且つ輝度が十分に高いものとされるから、緑色蛍光体及び赤色蛍光体を効率的に励起して緑色光及び赤色光を発光させることができるとともに、ＬＥＤ１７からの青色光に係る色純度が高いものとなる。
【００４９】
そして、上記のような構成のＬＥＤ１７からの光によって画像を表示する液晶パネル１１に備えられるカラーフィルタ２９を構成する各色の着色部２９Ｒ，２９Ｇ，２９Ｂは、次のような透過スペクトルを有している。すなわち、緑色を呈する緑色着色部２９Ｇは、図９に示すように、緑色の波長領域（約５００ｎｍ〜約５７０ｎｍ）の光、つまり緑色光を選択的に透過するものとされており、その透過スペクトルに含まれるピークのピーク波長が５１０ｎｍ〜５５０ｎｍの範囲となるとともに、当該ピークの半値幅が１１０ｎｍ未満となるよう構成されている。具体的には、緑色着色部２９Ｇは、ピーク波長が５３０ｎｍとなるピークを含み且つその半値幅（４８８ｎｍから５８０ｎｍまでの幅）が９２ｎｍ程度となる透過スペクトルを有するよう構成されるのが好ましい。つまり、緑色着色部２９Ｇに係る透過スペクトルには、緑色蛍光体の発光スペクトルのピークが全域にわたって含まれているので、ＬＥＤ１７から発せられた光の中の高い色純度の緑色光が、緑色着色部２９Ｇを効率的に透過することになる。これにより、ＬＥＤ１７からの緑色光に係る利用効率をより高く保つことができるとともに、液晶パネル１１の出射光に係る色度領域における緑色の色域が広くなって色再現性により優れる。なお、ここで言う透過スペクトルの「ピーク」とは、透過スペクトルの中の山状部分のことを指し、「ピーク波長」とは、上記山状部分の中の頂点における波長のことを指す。
【００５０】
赤色を呈する赤色着色部２９Ｒは、図９に示すように、赤色の波長領域（約６００ｎｍ〜約７８０ｎｍ）の光、つまり赤色光を選択的に透過するものとされており、その透過スペクトルに含まれるピークの立ち上がり位置が５６０ｎｍ以上となり、ピークの半値（分光透過率の最大値の半値）となる波長が５８０ｎｍ以上となるよう構成されている。具体的には、赤色着色部２９Ｒは、ピークの立ち上がり位置が５６６ｎｍ程度となり、ピークの半値となる波長が５８８ｎｍ程度となる透過スペクトルを有するよう構成されるのが好ましい。つまり、赤色着色部２９Ｒに係る透過スペクトルには、赤色蛍光体の発光スペクトルのメインピーク、第１サブピーク、及び第２サブピークがそれぞれ全域にわたって含まれているので、ＬＥＤ１７から発せられた光の中の高い色純度の赤色光が、赤色着色部２９Ｒを効率的に透過することになる。これにより、ＬＥＤ１７からの赤色光に係る利用効率をより高く保つことができるとともに、液晶パネル１１の出射光に係る色度領域における赤色の色域が広くなって色再現性により優れる。
【００５１】
青色を呈する青色着色部２９Ｂは、図９に示すように、青色の波長領域（約４２０ｎｍ〜約５００ｎｍ）の光、つまり青色光を選択的に透過するものとされており、その透過スペクトルに含まれるピークのピーク波長が４４０ｎｍ〜４８０ｎｍの範囲となるとともに、当該ピークの半値幅が１１０ｎｍ未満となるよう構成されている。具体的には、青色着色部２９Ｂは、ピーク波長が４５５ｎｍとなるピークを含み且つその半値幅（４０４ｎｍから５０９ｎｍまでの幅）が１０５ｎｍ程度となる透過スペクトルを有するよう構成されるのが好ましい。つまり、青色着色部２９Ｂに係る透過スペクトルには、青色ＬＥＤ素子４０の発光スペクトルのピークが全域にわたって含まれているので、ＬＥＤ１７から発せられた光の中の高い色純度の青色光が、青色着色部２９Ｂを効率的に透過することになる。これにより、ＬＥＤ１７からの青色光に係る利用効率をより高く保つことができるとともに、液晶パネル１１の出射光に係る色度領域における青色の色域が広くなって色再現性により優れる。
【００５２】
ここで、ＬＥＤ１７及びカラーフィルタ２９を上記のような構成とすることで、光の利用効率及び色再現性がどのようなものになるか、に関して知見を得るため、下記の比較実験１を行った。この比較実験１では、本段落以前に説明したＬＥＤ１７を有するバックライト装置１２と、カラーフィルタ２９を有する液晶パネル１１と、を備えた液晶表示装置１０を実施例１とし、この実施例１と同じ液晶パネルを用いるもののバックライト装置のＬＥＤに備わる各蛍光体を変更した液晶表示装置を比較例１とし、この比較例１とは液晶パネルのカラーフィルタを変更した液晶表示装置を比較例２としている。実施例１に係る液晶表示装置１０は、本段落以前に説明したものと同一であり、ＬＥＤ１７に備えられる緑色蛍光体は、図９及び図１５に示すように、発光スペクトルに含まれるピークのピーク波長が５３３ｎｍとされ且つその半値幅が５３ｎｍ程度とされるのに対し、赤色蛍光体は、発光スペクトルに含まれるメインピークのピーク波長が６３０ｎｍとされ且つその半値幅が８ｎｍ程度とされ、第１サブピークのピーク波長が６１３ｎｍとされ、第２サブピークのピーク波長が６４７ｎｍとされる。また、実施例１に係るＬＥＤ１７に備えられる青色ＬＥＤ素子４０は、ピークのピーク波長が４４４ｎｍとされ且つその半値幅が２０ｎｍ程度とされる。比較例１に係る液晶表示装置は、ＬＥＤに備わる緑色蛍光体が、図１１及び図１５に示すように、ピーク波長を５４０ｎｍとした発光スペクトルを有するβ−ＳｉＡｌＯＮからなるとともに、赤色蛍光体が、ピーク波長を６５０ｎｍとした発光スペクトルを有するカズン系蛍光体の一種であるＣａＡｌＳｉＮ3：Ｅｕからなるものとされる。また、比較例１に係るＬＥＤに備えられる青色ＬＥＤ素子は、ピークのピーク波長が４４４ｎｍとされ且つその半値幅が２０ｎｍ程度とされる。このＬＥＤを除いて、比較例１に係る液晶表示装置に備わる他の構成に関しては、実施例１に係る液晶表示装置１０と同様である。比較例２に係る液晶表示装置は、図１３及び図１５に示すように、比較例１と同じＬＥＤを備えるとともに、カラーフィルタを構成する３色の各着色部の膜厚が、実施例１及び比較例１に比べて大きなものとされており、具体的にはその差が２７％（実施例１及び比較例１に係る液晶表示装置のカラーフィルタの各着色部の膜厚を１００％としたときの相対値）とされる。このカラーフィルタを除いて、比較例２に係る液晶表示装置に備わる他の構成に関しては、比較例１に係る液晶表示装置と同様である。なお、図１１は、比較例１のＬＥＤの発光スペクトルと、比較例１のカラーフィルタの分光透過率と、を表しており、図１３は、比較例２のＬＥＤの発光スペクトルと、比較例２のカラーフィルタの分光透過率と、を表している。図１１及び図１３における横軸及び横軸は、図９と同様である。また、図１３では、参考として比較例１及び実施例１のカラーフィルタの分光透過率を細い線（細い破線、細い一点鎖線及び細い二点鎖線）によって図示している。
【００５３】
そして、この比較実験１では、上記した構成の実施例１及び比較例１，２に係る各液晶表示装置において、ＬＥＤの色度と、液晶パネルからの出射光の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図１０，図１２，図１４から図１７に示す。図１０は、実施例１の液晶パネル１１の出射光における各色の透過スペクトルを表しており、また参考のために図９と同じＬＥＤ１７の発光スペクトルを示している。図１２は、比較例１の液晶パネルの出射光における各色の透過スペクトルを表しており、また参考のために図１１と同じＬＥＤの発光スペクトルを示している。図１４は、比較例２の液晶パネルの出射光における各色の透過スペクトルを表しており、また参考のために図１３と同じＬＥＤの発光スペクトルを示している。また、図１０，図１２及び図１４における横軸は、波長（単位：ｎｍ）を示しており、縦軸は、液晶パネルの出射光の分光透過率（無単位）を示している。図１６及び図１７は、後に詳しく説明する各規格に係る色度領域と、実施例１及び比較例１，２に係る液晶表示装置の液晶パネルからの出射光の色度領域と、を表している。
【００５４】
ＬＥＤの色度は、ＬＥＤから発せられた光を例えば分光測色計などにより測定得ている。液晶パネルからの出射光の輝度比は、実施例１及び比較例１，２に係る各液晶表示装置において、液晶パネルを最も高輝度となるよう白色表示させた状態での輝度値をそれぞれ測定し、その中の比較例１における輝度値を基準（１００％）とした相対値である。液晶パネルからの出射光の色度は、液晶パネルに白色表示させた状態と、液晶パネルに赤色の原色を表示させた状態と、緑色の原色を表示させた状態と、青色の原色を表示させた状態と、でそれぞれカラーフィルタを透過した光を、分光測色計などにより測定して得ている。液晶パネルからの出射光に係る色度領域におけるＮＴＳＣ比、ＢＴ．７０９比、ＤＣＩ比、及びＢＴ．２０２０比は、実施例１及び比較例１，２に係る各液晶表示装置において、液晶パネルの出射光に係る色度領域の各規格に対する面積比である。液晶パネルの出射光に係る色度領域は、液晶パネルに赤色の原色を表示させたときの色度（赤色の色度、赤色の原色点）と、緑色の原色を表示させたときの色度（緑色の色度、緑色の原色点）と、青色の原色を表示させたときの色度（青色の色度、青色の原色点）と、をそれぞれ測定し、それらの各色度を各色度図にプロットしたときに表れる、各色度を頂点とした三角形の領域である。
【００５５】
図１６は、ＣＩＥ（Commission Internationale de l'Eclairage：国際照明委員会）１９３１色度図であり、横軸がｘ値、縦軸がｙ値である。図１７は、ＣＩＥ１９７６色度図であり、横軸がｕ′値、縦軸がｖ′値である。図１５及び図１６におけるｘ値及びｙ値は、図１６に示すＣＩＥ１９３１色度図における色度座標の値である。一方、図１５及び図１７におけるｕ′値及びｖ′値は、図１７に示すＣＩＥ１９７６色度図における色度座標の値である。また、図１５におけるＸ値，Ｙ値，Ｚ値は、ＸＹＺ表色系における３刺激値であり、このうち、特にＹ値は、明るさ、すなわち輝度の指標として用いられる。本実施形態においても、出射光の輝度比は、「白色表示時における出射光の色度」におけるＹ値を元に算出している。また、ｘ値及びｙ値は、上記したＸ値，Ｙ値，Ｚ値を用いて表すことができ、下記の式（１），式（２）の通りとなる。同様に、ｕ′値及びｖ′値についても、上記したＸ値，Ｙ値，Ｚ値を用いて表すことができ、下記の式（３），式（４）の通りとなる。
【００５６】
［数１］
ｘ＝Ｘ／（Ｘ＋Ｙ＋Ｚ）・・・（１）
【００５７】
［数２］
ｙ＝Ｙ／（Ｘ＋Ｙ＋Ｚ）・・・（２）
【００５８】
［数３］
ｕ′＝４Ｘ／（Ｘ＋１５Ｙ＋３Ｚ）・・・（３）
【００５９】
［数４］
ｖ′＝９Ｙ／（Ｘ＋１５Ｙ＋３Ｚ）・・・（４）
【００６０】
上記したＮＴＳＣ比とは、ＮＴＳＣ（National Television System Committee：全米テレビジョン放送方式標準化委員会）規格に係るＮＴＳＣ色度領域の面積を基準（１００％）としたときの、色度領域における面積比のことである。ＢＴ．７０９比とは、ＩＴＵ−Ｒ（International Telecommunication Union Radiocommunications Sector：国際電気通信連合 無線通信部門）が策定したＢＴ．７０９規格に係るＢＴ．７０９色度領域の面積を基準（１００％）としたときの、色度領域における面積比のことである。ＤＣＩ比とは、ＤＣＩ（Digital Cinema Initiative）規格に係るＤＣＩ色度領域の面積を基準（１００％）としたときの、色度領域における面積比のことである。ＢＴ．２０２０比とは、ＩＴＵ−Ｒ（International Telecommunication Union Radiocommunications Sector：国際電気通信連合 無線通信部門）が策定したＢＴ．２０２０規格に係るＢＴ．２０２０色度領域の面積を基準（１００％）としたときの、色度領域における面積比のことである。なお、図１６及び図１７では、ＢＴ．７０９色度領域を細い二点鎖線により、ＮＴＳＣ色度領域を一点鎖線により、ＤＣＩ色度領域を破線により、ＢＴ．２０２０色度領域を太い二点鎖線により、それぞれ図示している。また、実施例１に係る各色度を丸形のプロットにより示すとともに実施例１に係る色度領域を細い破線により示している。比較例１に係る各色度を菱形のプロットにより示すとともに比較例１に係る色度領域を実線により示している。比較例２に係る各色度を三角形のプロットにより示すとともに比較例２に係る色度領域を太い破線により示している。
【００６１】
続いて、比較実験１の実験結果について説明する。まず、液晶パネルの出射光の色度領域に係るＮＴＳＣ比、ＢＴ．７０９比、ＤＣＩ比、及びＢＴ．２０２０比に関しては、図１５から図１７に示すように、比較例１が最も低い値となっているのに対し、比較例２及び実施例１はいずれも比較例１よりも高い値となっていてなお且つ互いに概ね同等の値（詳細にはＣＩＥ１９３１色度図のＮＴＳＣ比、ＢＴ．７０９比、ＤＣＩ比、及びＢＴ．２０２０比に関しては、実施例１の方が高い値）となっている。特に、ＣＩＥ１９７６色度図のＤＣＩ比に関しては、比較例２及び実施例１は共に「１００％」、つまりＤＣＩ規格に係るＤＣＩ色度領域と同等の色再現範囲を有している、と言える（詳しくは図１５の上から２段目の「ＤＣＩ比：ＣＩＥ１９７６色度図」の欄を参照）。これは、比較例２では、カラーフィルタの各着色部の膜厚を比較例１及び実施例１に比べて増加させることで、各色の色純度の低下を招く光が各着色部によってより多く吸収されることで、各着色部を透過する光の色純度が向上したため、と考えられる。これに対し、実施例１では、カラーフィルタ２９の各着色部２９Ｒ，２９Ｇ，２９Ｂの膜厚については比較例１と同等であるものの、ＬＥＤ１７に備えられる緑色蛍光体及び赤色蛍光体が異なっており、これら各蛍光体から発せられる光の色純度がより高いものとなっている。詳しくは、実施例１に係るＬＥＤ１７の緑色蛍光体の発光スペクトルは、図９に示すように、そのほぼ全域が緑色着色部２９Ｇの透過スペクトルに含有されるものの、赤色着色部２９Ｒの透過スペクトルとの重なり範囲が比較例１，２（図１１及び図１３を参照）に比べると小さくなっている。上記重なり範囲についてより詳しく説明すると、実施例１に係るＬＥＤ１７の緑色蛍光体の発光スペクトルと、赤色着色部２９Ｒの透過スペクトルとの交点が、比較例１，２に係る同交点に比べて、縦軸方向についてより低い位置（０に近い位置）となっている。これにより、緑色蛍光体から発せられた色純度の高い緑色光は、緑色着色部２９Ｇを効率的に透過されるものの、赤色着色部２９Ｒを殆ど透過することがなくて赤色着色部２９Ｒにより効率的に吸収されるので、液晶パネル１１の出射光における緑色の色度が極めて色純度の高くなり、緑色の色域が拡張されている。さらには、実施例１に係るＬＥＤ１７の赤色蛍光体の発光スペクトルは、そのほぼ全域が赤色着色部２９Ｒの透過スペクトルに含有されるものの、緑色着色部２９Ｇの透過スペクトルとの重なり範囲が比較例１，２（図１１及び図１３を参照）に比べると小さくなっている。上記重なり範囲についてより詳しく説明すると、実施例１に係るＬＥＤ１７の赤色蛍光体の発光スペクトルと、緑色着色部２９Ｇの透過スペクトルとの交点が、比較例１，２に係る同交点に比べて、縦軸方向についてより低い位置（０に近い位置）となっている。これにより、赤色蛍光体から発せられた色純度の高い赤色光は、赤色着色部２９Ｒを効率的に透過されるものの、緑色着色部２９Ｇを殆ど透過することがなくて緑色着色部２９Ｇにより効率的に吸収されるので、液晶パネル１１の出射光における赤色の色度が極めて色純度の高くなり、赤色の色域が拡張されている。以上のように、実施例１に係る液晶パネル１１の出射光は、図１６及び図１７に示すように、緑色及び赤色の色域が拡張されることで、色再現性が高いものとされており、その色度領域が比較例２と同等で且つＣＩＥ１９７６色度図のＤＣＩ比において１００％を達成することができるのである。
【００６２】
一方、液晶パネルの出射光の輝度に関しては、図１５に示すように、基準となる比較例１の「１００％」に比べて、比較例２では「９２％」と低下するのに対して、実施例１では「１０３％」と向上している（詳しくは図１５の最上段の「出射光の輝度比」の欄を参照）。これは、比較例２では、カラーフィルタの各着色部の膜厚を比較例１及び実施例１に比べて２７％増加させたため、各着色部を光が透過する際に相対的に多くの光が吸収されて光の利用効率が低下し、結果として液晶パネルの出射光の輝度が低下している、と考えられる。これに対し、実施例１では、カラーフィルタ２９の各着色部２９Ｒ，２９Ｇ，２９Ｂの膜厚が比較例１と同一であるから、各着色部２９Ｒ，２９Ｇ，２９Ｂによる光の吸収量が比較例１と同等になっているものの、実施例１のＬＥＤ１７の緑色蛍光体及び赤色蛍光体の各発光スペクトルのほぼ全域が、それぞれ緑色着色部２９Ｇ及び赤色着色部２９Ｒの各透過スペクトルに含有されているので、ＬＥＤ１７からの緑色光及び赤色光が高効率でもって緑色着色部２９Ｇ及び赤色着色部２９Ｒを透過し、もって液晶パネル１１の出射光の輝度が向上している、と考えられる。以上のように、実施例１に係る液晶表示装置１０によれば、出射光の輝度を損なうことがなく、むしろ輝度を向上させることができるのに加えて、色再現性の向上を図ることができる。
【００６３】
以上説明したように本実施形態の液晶表示装置（表示装置）１０は、青色光を発光する青色ＬＥＤ素子（青色発光素子）４０と、青色ＬＥＤ素子４０からの青色光に励起されて緑色光を発光する緑色蛍光体であって、ピーク波長が５２０ｎｍ〜５４０ｎｍの範囲となるピークを含み且つその半値幅が６０ｎｍ未満とされる発光スペクトルの緑色蛍光体と、青色ＬＥＤ素子４０からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有するＬＥＤ（光源）１７を備えるバックライト装置（照明装置）１２と、少なくとも青色、緑色、赤色を呈する複数の着色部２９Ｒ，２９Ｇ，２９Ｂからなるカラーフィルタ２９を有し、バックライト装置１２からの光を利用して表示を行う液晶パネル（表示パネル）１１と、を備える。
【００６４】
このようにすれば、バックライト装置１２に備えられるＬＥＤ１７から発せられた光が液晶パネル１１に供給されると、その光が液晶パネル１１に有されて少なくとも青色、緑色、赤色を呈する複数の着色部２９Ｒ，２９Ｇ，２９Ｂからなるカラーフィルタ２９を透過して液晶パネル１１から出射されることで、液晶パネル１１に画像が表示される。ここで、バックライト装置１２に備えられるＬＥＤ１７は、青色ＬＥＤ素子４０から発せられる青色光と、青色光に励起された緑色蛍光体から発せられる緑色光と、青色光に励起された赤色蛍光体から発せられる赤色光と、により全体として概ね白色となる光を発光するものとされる。
【００６５】
そして、ＬＥＤ１７に有される緑色蛍光体は、ピーク波長が５２０ｎｍ〜５４０ｎｍの範囲となるピークを含み且つその半値幅が６０ｎｍ未満とされる発光スペクトルを有しているから、緑色蛍光体から発せられる緑色光の色純度が十分に高いものとされる。その上で、ＬＥＤ１７に有される赤色蛍光体は、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルを有しているから、赤色蛍光体から発せられる赤色光の色純度が十分に高いものとされる。特に、赤色蛍光体の発光スペクトルのメインピークにおける半値幅が１０ｎｍ未満とされることで、それを超える大きさにした場合に比べると、高い色純度が得られている。しかも、赤色蛍光体の発光スペクトルのメインピークにおけるピーク波長が上記した数値範囲の下限値（６２９ｎｍ）以上とされることで、それよりも短波長側にした場合に比べると、色相が黄色寄りにずれることが避けられる。さらには、赤色蛍光体の発光スペクトルのメインピークにおけるピーク波長が上記した数値範囲の上限値（６３５ｎｍ）以下とされることで、それよりも長波長側にした場合に比べると、視感度のピークである５５５ｎｍにより近くなるので、赤色光の明るさが十分に得られる。また、緑色蛍光体の発光スペクトルのピークにおける半値幅が６０ｎｍ未満とされることで、それを超える大きさにした場合に比べると、高い色純度が得られている。また、緑色蛍光体の発光スペクトルのピーク波長が上記した数値範囲の下限値（５２０ｎｍ）以上とされることで、それよりも短波長側にした場合に比べると、色相が青色寄りにずれることが避けられるとともに、視感度のピークである５５５ｎｍにより近くなることで、緑色光の明るさが十分に得られる。また、緑色蛍光体の発光スペクトルのピーク波長が上記した数値範囲の上限値（５４０ｎｍ）以下とされることで、それよりも長波長側にした場合に比べると、色相が黄色寄りにずれることが避けられる。これにより、ＬＥＤ１７からの光を、カラーフィルタ２９を構成する各色の着色部２９Ｒ，２９Ｇ，２９Ｂに透過させて得られる液晶パネル１１の出射光に係る色度領域に関して、緑色及び赤色の各色域がそれぞれ拡張されるので、液晶パネル１１に表示される画像に係る色再現性が向上する。従って、従来のように色補正フィルムを用いたり、カラーフィルタ２９の膜厚を増したりすることで、色再現性の向上を図るようにしたものに比べると、光の利用効率を損なうことなく色再現性の向上を図ることができる。以上により、液晶パネル１１の出射光における色度領域を、少なくともＣＩＥ１９７６色度図においてＤＣＩ（Digital Cinema Initiative）規格に係るＤＣＩ色度領域と同等またはそれ以上（面積比で１００％または１００％以上）の広さとすることが可能となり、もって高い色再現性を得ることができる。
【００６６】
また、緑色蛍光体には、酸窒化物蛍光体が含有されている。このようにすれば、例えば硫化物や酸化物からなる蛍光体を用いた場合に比べて、発光効率に優れるとともに耐久性に優れたものとなる。
【００６７】
また、酸窒化物蛍光体は、サイアロン系蛍光体からなる。このようにすれば、発光スペクトルに含まれるピークの半値幅が十分に狭くなることで色純度の高い緑色光を発光することができる。
【００６８】
また、サイアロン系蛍光体は、付活剤としてユーロピウムを用いたβ−ＳｉＡｌＯＮとされる。このようにすれば、発光効率及び耐久性がより優れたものとなる。しかも、発光スペクトルに含まれるピークの半値幅がより狭くなることで色純度の高い緑色光を発光することができる。
【００６９】
また、赤色蛍光体には、複フッ化物蛍光体が含有されている。このようにすれば、発光スペクトルに含まれるメインピークの半値幅が十分に狭くなることで色純度の高い赤色光を発光することができる。また、緑色蛍光体から発せられる緑色光を吸収し難いものとされているので、緑色光の利用効率が高く保たれる。
【００７０】
また、複フッ化物蛍光体は、付活剤としてマンガンを用いたケイフッ化カリウムとされる。このようにすれば、材料として高価な希土類元素を用いていないので、赤色蛍光体並びにＬＥＤ１７に係る製造コストが安価なものとなる。
【００７１】
また、カラーフィルタ２９のうち緑色を呈する緑色着色部２９Ｇは、ピーク波長が５１０ｎｍ〜５５０ｎｍの範囲となるピークを含み且つその半値幅が１１０ｎｍ未満とされる透過スペクトルを有している。このようにすれば、緑色を呈する緑色着色部２９Ｇに係る透過スペクトルに、緑色蛍光体の発光スペクトルのピークが全域にわたって含まれているから、ＬＥＤ１７から発せられた高い色純度の緑色光が、緑色を呈する緑色着色部２９Ｇを効率的に透過する。これにより、ＬＥＤ１７からの緑色光に係る利用効率をより高く保つことができるとともに、液晶パネル１１の出射光に係る色度領域における緑色の色域が広くなって色再現性により優れる。
【００７２】
また、カラーフィルタ２９のうち赤色を呈する赤色着色部２９Ｒは、ピークの立ち上がり位置が５６０ｎｍ以上となる透過スペクトルを有している。このようにすれば、赤色を呈する赤色着色部２９Ｒに係る透過スペクトルに、赤色蛍光体の発光スペクトルのメインピーク、第１サブピーク、及び第２サブピークがそれぞれ全域にわたって含まれているから、ＬＥＤ１７から発せられた高い色純度の赤色光が、赤色を呈する赤色着色部２９Ｒを効率的に透過する。これにより、ＬＥＤ１７からの赤色光に係る利用効率をより高く保つことができるとともに、液晶パネル１１の出射光に係る色度領域における赤色の色域が広くなって色再現性により優れる。
【００７３】
また、青色ＬＥＤ素子４０は、ピーク波長が４３０ｎｍ〜４６０ｎｍの範囲となるピークを含む発光スペクトルを有している。このようにすれば、青色ＬＥＤ素子４０から発せられる青色光により緑色蛍光体及び赤色蛍光体を効率的に励起して緑色光及び赤色光を発光させることができる。
【００７４】
また、カラーフィルタ２９のうち青色を呈する青色着色部２９Ｂは、ピーク波長が４４０ｎｍ〜４８０ｎｍの範囲となるピークを含み且つその半値幅が１１０ｎｍ未満とされる透過スペクトルを有している。このようにすれば、青色を呈する青色着色部２９Ｂに係る透過スペクトルに、青色ＬＥＤ素子４０の発光スペクトルのピークが全域にわたって含まれているから、ＬＥＤ１７から発せられた高い色純度の青色光が、青色を呈する青色着色部２９Ｂを効率的に透過する。これにより、ＬＥＤ１７からの青色光に係る利用効率をより高く保つことができるとともに、液晶パネル１１の出射光に係る色度領域における青色の色域が広くなって色再現性により優れる。
【００７５】
また、バックライト装置１２は、ＬＥＤ１７と対向する形で配されてＬＥＤ１７からの光が入射される光入射面１９ｂが端面に有されるとともに、液晶パネル１１の板面と対向する形で配されて液晶パネル１１に向けて光を出射する光出射面１９ａが板面に有される導光板１９を備えている。このようにすれば、ＬＥＤ１７から発せられた光は、導光板１９の端面に有される光入射面１９ｂに入射してから導光板１９内を伝播して拡散された後、導光板１９の板面に有される光出射面１９ａから面状の光として出射されて液晶パネル１１へと照射される。このようなエッジライト型のバックライト装置１２によれば、直下型に比べると、複数のＬＥＤ１７を使用する場合にはＬＥＤ１７の設置数を削減しつつ出射光に係る輝度均一性を十分に高くすることができる。
【００７６】
また、本実施形態に係るテレビ受信装置１０ＴＶは、上記した液晶表示装置１０と、テレビ信号を受信可能なチューナー（受信部）１０Ｔとを備える。このようなテレビ受信装置１０ＴＶによれば、高輝度で且つ色再現性に優れたテレビ画像を表示することができる。
【００７７】
＜実施形態２＞
本発明の実施形態２を図１８から図３０によって説明する。この実施形態２では、液晶パネル１１１のカラーフィルタ１２９に黄色着色部１２９Ｙを追加して４色としたものを示す。なお、上記した実施形態１と同様の構造、作用及び効果について重複する説明は省略する。
【００７８】
本実施形態に係るテレビ受信装置１１０ＴＶ及び液晶表示装置１１０には、図１８に示すように、チューナー１１０Ｔから出力されたテレビ映像信号を当該液晶表示装置１１０用の映像信号に変換する映像変換回路基板１１０ＶＣが備えられている。詳しくは、映像変換回路基板１１０ＶＣは、チューナー１１０Ｔから出力されたテレビ映像信号を青色、緑色、赤色、黄色の各色の映像信号に変換し、生成された各色の映像信号を液晶パネル１１１に接続されたコントロール基板に出力することができる。また、テレビ受信装置１１０ＴＶは、実施形態１と同様の構成とされる一対のキャビネット１１０Ｃａ，１１０Ｃｂと、電源１１０Ｐと、スタンド１１０Ｓと、を備えている。
【００７９】
液晶パネル１１１を構成するＣＦ基板１２１の内面、つまり液晶層１２２側（アレイ基板１２０との対向面側）の面には、図１９及び図２１に示すように、アレイ基板１２０側の各画素電極１２５（図２０を参照）に対応して多数個の着色部１２９Ｒ，１２９Ｇ，１２９Ｂ，１２９Ｙを行列状（マトリクス状）に配列してなるカラーフィルタ１２９が設けられている。そして、本実施形態に係るカラーフィルタ１２９は、光の三原色である赤色着色部１２９Ｒ，緑色着色部１２９Ｇ，青色着色部１２９Ｂに加えて、黄色を呈する黄色着色部１２９Ｙを有するものとされる。この黄色着色部１２９Ｙに関しては、後に詳しく説明する。各着色部１２９Ｒ，１２９Ｇ，１２９Ｂ，１２９Ｙは、画素電極１２５と同様に長辺方向をＹ軸方向に、短辺方向をＸ軸方向にそれぞれ一致させた縦長（長手）の方形状（矩形状）をなしている。各着色部１２９Ｒ，１２９Ｇ，１２９Ｂ，１２９Ｙ間には、混色を防ぐため、格子状の遮光部１３０が設けられている。
【００８０】
カラーフィルタ１２９を構成する各着色部１２９Ｒ，１２９Ｇ，１２９Ｂ，１２９Ｙの配置及び大きさについて詳しく説明する。各着色部１２９Ｒ，１２９Ｇ，１２９Ｂ，１２９Ｙは、図２１に示すように、Ｘ軸方向を行方向とし、Ｙ軸方向を列方向として行列状に配列されており、各着色部１２９Ｒ，１２９Ｇ，１２９Ｂ，１２９Ｙにおける列方向（Ｙ軸方向）の寸法は全て同一とされるものの、行方向（Ｘ軸方向）の寸法については各着色部１２９Ｒ，１２９Ｇ，１２９Ｂ，１２９Ｙによって異なるものとされる。詳しくは、各着色部１２９Ｒ，１２９Ｇ，１２９Ｂ，１２９Ｙは、図２１に示す左側から赤色着色部１２９Ｒ、緑色着色部１２９Ｇ、青色着色部１２９Ｂ、黄色着色部１２９Ｙの順で行方向に沿って並べられており、このうち赤色着色部１２９Ｒ及び青色着色部１２９Ｂの行方向の寸法が、黄色着色部１２９Ｙ及び緑色着色部１２９Ｇの行方向の寸法よりも相対的に大きなものとされる。つまり、行方向の寸法が相対的に大きな着色部１２９Ｒ，１２９Ｂと、行方向の寸法が相対的に小さな着色部１２９Ｇ，１２９Ｙとが行方向について交互に繰り返し配されていることになる。これにより、赤色着色部１２９Ｒ及び青色着色部１２９Ｂの面積は、緑色着色部１２９Ｇ及び黄色着色部１２９Ｙの面積よりも大きなものとされている。青色着色部１２９Ｂと赤色着色部１２９Ｒとの面積は、互いに等しいものとされる。同様に緑色着色部１２９Ｇと黄色着色部１２９Ｙとの面積は、互いに等しいものとされる。なお、図１９及び図２１では、赤色着色部１２９Ｒ及び青色着色部１２９Ｂの面積が、黄色着色部１２９Ｙ及び緑色着色部１２９Ｇの面積の約１．６倍程度とされる場合を図示している。
【００８１】
カラーフィルタ１２９が上記のような構成とされるのに伴い、アレイ基板１２０においては、図２０に示すように、画素電極１２５における行方向（Ｘ軸方向）の寸法が列によって異なるものとされる。すなわち、各画素電極１２５のうち、赤色着色部１２９Ｒ及び青色着色部１２９Ｂと重畳するものの行方向の寸法及び面積は、黄色着色部１２９Ｙ及び緑色着色部１２９Ｇと重畳するものの行方向の寸法及び面積よりも相対的に大きなものとされる。液晶パネル１１１において、黄色着色部１２９Ｙと対向する画素電極１２５との組によって黄色画素１３４Ｙが構成されている。つまり、液晶パネル１１１の表示画素１３４は、赤色画素１３４Ｒと、緑色画素１３４Ｇと、青色画素１３４Ｂと、黄色画素１３４Ｙとから構成されている。また、ゲート配線１２６については、全て等ピッチで配列されているのに対し、ソース配線１２７については、画素電極１２５の行方向の寸法に応じて２通りのピッチで配列されている。なお、本実施形態では、補助容量配線について図示を省略している。
【００８２】
このような構成の液晶パネル１１１は、図示しないコントロール基板からの信号が入力されることで駆動されるのであるが、そのコントロール基板には、図１８に示す映像変換回路基板１１０ＶＣにおいてチューナー１１０Ｔから出力されたテレビ映像信号が、青色、緑色、赤色、黄色の各色の映像信号に変換されて生成された各色の映像信号が入力されるようになっており、それにより液晶パネル１１１では、各色の着色部１２９Ｒ，１２９Ｇ，１２９Ｂ，１２９Ｙを透過する透過光量を適宜制御されるようになっている。そして、液晶パネル１１１のカラーフィルタ１２９が光の三原色である各着色部１２９Ｒ，１２９Ｇ，１２９Ｂに加えて黄色着色部１２９Ｙを有しているので、その透過光により表示される表示画像の色域が拡張されており、もって色再現性により優れた表示を実現できるものとされる。しかも、黄色着色部１２９Ｙを透過した光は、視感度のピークに近い波長を有することから、人間の目には少ないエネルギーでも明るく知覚される傾向とされる。これにより、図示しないバックライト装置が有するＬＥＤの出力を抑制しても十分な輝度を得ることができることとなり、ＬＥＤの消費電力を低減でき、もって環境性能にも優れる、といった効果が得られる。
【００８３】
上記のような構成の液晶パネル１１１に備えられるカラーフィルタ１２９を構成する各着色部１２９Ｒ，１２９Ｇ，１２９Ｂ，１２９Ｙのうち、黄色着色部１２９Ｙは、次のような透過スペクトルを有している。すなわち、黄色を呈する黄色着色部１２９Ｙは、図２２に示すように、黄色の波長領域（５８０ｎｍ〜６００ｎｍ）の光、つまり黄色光を選択的に透過するものとされており、その透過スペクトルに含まれるピークの立ち上がり位置が４６０ｎｍ〜５６０ｎｍの範囲に存するとともに、ピークの半値となる波長が４８０ｎｍ〜５８０ｎｍの範囲に存するよう構成されている。具体的には、黄色着色部１２９Ｙは、ピークの立ち上がり位置が４７０ｎｍ程度となり、ピークの半値となる波長が５０６ｎｍ程度となる透過スペクトルを有するよう構成されるのが好ましい。つまり、黄色着色部１２９Ｙに係る透過スペクトルには、緑色蛍光体の発光スペクトルのピークが全域にわたって含まれるとともに、赤色蛍光体の発光スペクトルのメインピーク、第１サブピーク、及び第２サブピークがそれぞれ全域にわたって含まれているので、図示しないＬＥＤから発せられた光の中の高い色純度の緑色光及び赤色光が、黄色着色部１２９Ｙを効率的に透過することになる。これにより、ＬＥＤからの緑色光及び赤色光に係る利用効率をそれぞれより高く保つことができるとともに、液晶パネル１１の出射光に係る色度領域における黄色の色域が広くなって色再現性により優れる。なお、図２２における横軸及び横軸は、上記した実施形態１の図９と同様である。
【００８４】
ここで、カラーフィルタ１２９を上記のような構成とすることで、光の利用効率及び色再現性がどのようなものになるか、に関して知見を得るため、下記の比較実験２を行った。この比較実験２では、本段落以前に説明した黄色着色部１２９Ｙを含むカラーフィルタ１２９を有する液晶パネル１１１と、上記した実施形態１の比較実験１の実施例１と同じＬＥＤを有するバックライト装置と、を備えた液晶表示装置１１０を実施例２とし、この実施例２と同じ液晶パネルを用いるもののバックライト装置のＬＥＤに備わる各蛍光体を変更した液晶表示装置を比較例３とし、この比較例３とは液晶パネルのカラーフィルタを変更した液晶表示装置を比較例４としている。実施例２に係る液晶表示装置１１０は、本段落以前に説明したものと同一であり、カラーフィルタ１２９を構成する黄色着色部１２９Ｙは、図２２及び図２８に示すように、ピークの立ち上がり位置が４７０ｎｍ程度となり、ピークの半値となる波長が５０６ｎｍ程度となる透過スペクトルを有するのに対し、ＬＥＤに備えられる緑色蛍光体は、発光スペクトルに含まれるピークのピーク波長が５３３ｎｍとされ且つその半値幅が５３ｎｍ程度とされるのに対し、赤色蛍光体は、発光スペクトルに含まれるメインピークのピーク波長が６３０ｎｍとされ且つその半値幅が８ｎｍ程度とされ、第１サブピークのピーク波長が６１３ｎｍとされ、第２サブピークのピーク波長が６４７ｎｍとされる。また、実施例２に係るＬＥＤに備えられる青色ＬＥＤ素子は、ピークのピーク波長が４４４ｎｍとされ且つその半値幅が２０ｎｍ程度とされる。比較例３に係る液晶表示装置は、ＬＥＤに備わる緑色蛍光体が、図２４及び図２８に示すように、ピーク波長を５４０ｎｍとした発光スペクトルを有するβ−ＳｉＡｌＯＮからなる第１緑色蛍光体と、ピーク波長を５２２ｎｍとした発光スペクトルを有するβ−ＳｉＡｌＯＮからなる第２緑色蛍光体と、の２つから構成されるとともに、赤色蛍光体が、ピーク波長を６５０ｎｍとした発光スペクトルを有するカズン系蛍光体の一種であるＣａＡｌＳｉＮ3：Ｅｕからなるものとされる。また、比較例３に係るＬＥＤに備えられる青色ＬＥＤ素子は、ピークのピーク波長が４４４ｎｍとされ且つその半値幅が２０ｎｍ程度とされる。このＬＥＤを除いて、比較例３に係る液晶表示装置に備わる他の構成に関しては、実施例２に係る液晶表示装置１１０と同様である。比較例４に係る液晶表示装置は、図２６及び図２８に示すように、比較例３と同じＬＥＤを備えるとともに、カラーフィルタを構成する４色の各着色部の膜厚が、実施例２及び比較例３に比べて大きなものとされており、具体的にはその差が４１％（実施例２及び比較例３に係る液晶表示装置のカラーフィルタの各着色部の膜厚を１００％としたときの相対値）とされる。このカラーフィルタを除いて、比較例４に係る液晶表示装置に備わる他の構成に関しては、比較例３に係る液晶表示装置と同様である。なお、図２４は、比較例３のＬＥＤの発光スペクトルと、比較例３のカラーフィルタの分光透過率と、を表しており、図２６は、比較例４のＬＥＤの発光スペクトルと、比較例４のカラーフィルタの分光透過率と、を表している。図２４及び図２６における横軸及���横軸は、図２２と同様である。また、図２６では、参考として比較例３及び実施例２のカラーフィルタの分光透過率を細い線（細く且つ線分が短い破線、細く且つ線分が長い破線、細い一点鎖線及び細い二点鎖線）によって図示している。
【００８５】
そして、この比較実験２では、上記した構成の実施例２及び比較例３，４に係る各液晶表示装置において、ＬＥＤの色度と、液晶パネルからの出射光の輝度比と、同出射光の各色度と、を測定するとともに、同出射光に係る色度領域のＮＴＳＣ比、ＢＴ．７０９比、ＤＣＩ比、及びＢＴ．２０２０比を算出しており、その結果を図２３，図２５，図２７から図３０に示す。図２３は、実施例２の液晶パネル１１１の出射光における各色の透過スペクトルを表しており、また参考のために図２２と同じＬＥＤの発光スペクトルを示している。図２５は、比較例３の液晶パネルの出射光における各色の透過スペクトルを表しており、また参考のために図２４と同じＬＥＤの発光スペクトルを示している。図２７は、比較例４の液晶パネルの出射光における各色の透過スペクトルを表しており、また参考のために図２６と同じＬＥＤの発光スペクトルを示している。なお、図２３，図２５及び図２７における横軸及び横軸は、上記した実施形態１の図１０と同様である。図２９及び図３０は、実施形態１の図１７及び図１８と同様に、各規格に係る色度領域と、実施例２及び比較例３，４に係る液晶表示装置の液晶パネルからの出射光の色度領域と、を表している。本実施形態において、液晶パネルからの出射光の輝度比に関しては、比較例３を基準（１００％）とした相対値となっている。液晶パネルからの出射光の色度は、液晶パネルに白色表示させた状態と、液晶パネルに赤色の原色を表示させた状態と、黄色の原色を表示させた状態と、緑色の原色を表示させた状態と、青色の原色を表示させた状態と、でそれぞれカラーフィルタを透過した光を、分光測色計などにより測定して得ている。液晶パネルの出射光に係る色度領域は、液晶パネルに赤色の原色を表示させたときの色度と、液晶パネルに黄色の原色を表示させたときの色度（黄色の色度、黄色の原色点）と、緑色の原色を表示させたときの色度と、青色の原色を表示させたときの色度と、をそれぞれ測定し、それらの各色度を各色度図にプロットしたときに表れる、各色度を頂点とした四角形の領域である。図２９は、図１６と同様にＣＩＥ１９３１色度図であり、図３０は、図１７と同様にＣＩＥ１９７６色度図である。また、図２９及び図３０では、実施例２に係る各色度を丸形のプロットにより示すとともに実施例２に係る色度領域を細い破線により示している。比較例３に係る各色度を菱形のプロットにより示すとともに比較例３に係る色度領域を実線により示している。比較例４に係る各色度を三角形のプロットにより示すとともに比較例４に係る色度領域を太い破線により示している。なお、上記以外の事項に関して、ＬＥＤの色度の色度、液晶パネルからの出射光の輝度比、及び同出射光の各色度の測定方法は、上記した実施形態１に記載した通りであり、同様に液晶パネルからの出射光に係る色度領域のＮＴＳＣ比、ＢＴ．７０９比、ＤＣＩ比、及びＢＴ．２０２０比の算出方法についても、上記した実施形態１に記載した通りである。
【００８６】
続いて、比較実験２の実験結果について説明する。まず、液晶パネルの出射光の色度領域に係るＮＴＳＣ比、ＢＴ．７０９比、ＤＣＩ比、及びＢＴ．２０２０比に関しては、図２８から図３０に示すように、比較例３が最も低い値となっているのに対し、比較例４及び実施例２はいずれも比較例３よりも高い値となっていてなお且つ互いに概ね同等の値（詳細にはＣＩＥ１９３１色度図のＮＴＳＣ比、ＢＴ．７０９比、及びＤＣＩ比に関しては、実施例２の方が高い値）となっている。特に、ＣＩＥ１９３１色度図のＤＣＩ比に関しては、比較例４は「１００％」とされてＤＣＩ規格に係るＤＣＩ色度領域と同等の色再現範囲であるのに対し、実施例２は「１０１％」とされてＤＣＩ規格に係るＤＣＩ色度領域を上回る色再現範囲を有している、と言える（詳しくは図２８の上から２段目の「ＤＣＩ比：ＣＩＥ１９３１色度図」の欄を参照）。これは、比較例４では、カラーフィルタの各着色部の膜厚を比較例２及び実施例４に比べて増加させることで、各色の色純度の低下を招く光が各着色部によってより多く吸収されることで、各着色部を透過する光の色純度が向上したため、と考えられる。
【００８７】
これに対し、実施例２では、カラーフィルタ１２９の各着色部１２９Ｒ，１２９Ｇ，１２９Ｂ，１２９Ｙの膜厚については比較例３と同等であるものの、ＬＥＤに備えられる緑色蛍光体及び赤色蛍光体が異なっており、これら各蛍光体から発せられる光の色純度がより高いものとなっている。詳しくは、実施例２に係るＬＥＤの緑色蛍光体の発光スペクトルは、図２２に示すように、そのほぼ全域が緑色着色部１２９Ｇの透過スペクトルに含有されるものの、赤色着色部１２９Ｒの透過スペクトルとの重なり範囲が比較例３，４（図２４及び図２６を参照）に比べると小さくなっている。上記重なり範囲についてより詳しく説明すると、実施例２に係るＬＥＤの緑色蛍光体の発光スペクトルと、赤色着色部１２９Ｒの透過スペクトルとの交点が、比較例３，４に係る同交点に比べて、縦軸方向についてより低い位置（０に近い位置）となっている。これにより、緑色蛍光体から発せられた色純度の高い緑色光は、緑色着色部１２９Ｇを効率的に透過されるものの、赤色着色部１２９Ｒを殆ど透過することがなくて赤色着色部１２９Ｒにより効率的に吸収されるので、液晶パネル１１１の出射光における緑色の色度が極めて色純度の高くなり、緑色の色域が拡張されている。さらには、実施例２に係るＬＥＤの赤色蛍光体の発光スペクトルは、そのほぼ全域が赤色着色部１２９Ｒの透過スペクトルに含有されるものの、緑色着色部１２９Ｇの透過スペクトルとの重なり範囲が比較例３，４（図２４及び図２６を参照）に比べると小さくなっている。上記重なり範囲についてより詳しく説明すると、実施例２に係るＬＥＤの赤色蛍光体の発光スペクトルと、緑色着色部１２９Ｇの透過スペクトルとの交点が、比較例３，４に係る同交点に比べて、縦軸方向についてより低い位置（０に近い位置）となっている。これにより、赤色蛍光体から発せられた色純度の高い赤色光は、赤色着色部１２９Ｒを効率的に透過されるものの、緑色着色部１２９Ｇを殆ど透過することがなくて緑色着色部１２９Ｇにより効率的に吸収されるので、液晶パネル１１１の出射光における赤色の色度が極めて色純度の高くなり、赤色の色域が拡張されている。さらには、ＬＥＤの緑色蛍光体及び赤色蛍光体の各発光スペクトルは、それぞれのほぼ全域が黄色着色部１２９Ｙの透過スペクトルに含有されるので、緑色蛍光体及び赤色蛍光体から発せられた色純度の高い緑色光及び赤色光は、黄色着色部１２９Ｙを効率的に透過され、もって液晶パネル１１１の出射光における黄色の色度が極めて色純度の高くなり、黄色の色域が拡張されている。以上のように、実施例２に係る液晶パネル１１１の出射光は、図２９及び図３０に示すように、緑色、赤色及び黄色の色域がそれぞれ拡張されることで、色再現性が高いものとされており、その色度領域が比較例４以上で且つＣＩＥ１９３１色度図のＤＣＩ比において１００％以上を達成することができるのである。このＣＩＥ１９３１色度図は、緑色の色域が赤色や青色の色域に比べて広い面積でもって表記されていることから、実施例２のように黄色着色部１２９Ｙの透過スペクトルに、緑色蛍光体及び赤色蛍光体の各発光スペクトルのほぼ全域を含ませる構成とすることで、緑色の色域及び赤色の色域に跨る黄色の色域を拡張し、もって実施形態１の比較実験１に係る実施例１では達成できなかったＣＩＥ１９３１色度図のＤＣＩ比において１００％以上を達成することができるのである。
【００８８】
一方、液晶パネルの出射光の輝度に関しては、図２８に示すように、基準となる比較例３の「１００％」に比べて、比較例４では「９１％」と低下するのに対して、実施例２では「１０２％」と向上している（詳しくは図２８の最上段の「出射光の輝度比」の欄を参照）。これは、比較例４では、カラーフィルタの各着色部の膜厚を比較例３及び実施例２に比べて４１％増加させ、実施形態１の比較実験１に記載した比較例２よりもさらに厚くなっているため、各着色部を光が透過する際により多くの光が吸収されて光の利用効率が低下し、結果として液晶パネルの出射光の輝度が低下している、と考えられる。これに対し、実施例２では、カラーフィルタ１２９の各着色部１２９Ｒ，１２９Ｇ，１２９Ｂ，１２９Ｙの膜厚が比較例３と同一であるから、各着色部１２９Ｒ，１２９Ｇ，１２９Ｂ，１２９Ｙによる光の吸収量が比較例３と同等になっているものの、実施例２のＬＥＤの緑色蛍光体及び赤色蛍光体の各発光スペクトルのほぼ全域が、それぞれ緑色着色部１２９Ｇ、赤色着色部１２９Ｒ、及び黄色着色部１２９Ｙの各透過スペクトルにそれぞれ含有されているので、ＬＥＤからの緑色光及び赤色光が高効率でもって緑色着色部１２９Ｇ、赤色着色部１２９Ｒ、及び黄色着色部１２９Ｙを透過し、もって液晶パネル１１１の出射光の輝度が向上している、と考えられる。以上のように、実施例２に係る液晶表示装置１１０によれば、出射光の輝度を損なうことがなく、むしろ輝度を向上させることができるのに加えて、色再現性のさらなる向上を図ることができる。
【００８９】
以上説明したように本実施形態によれば、カラーフィルタ１２９を構成する着色部１２９Ｒ，１２９Ｇ，１２９Ｂ，１２９Ｙには、黄色を呈するものが含まれている。このようにすれば、ＬＥＤからの光をカラーフィルタ１２９を構成する各色の着色部１２９Ｒ，１２９Ｇ，１２９Ｂ，１２９Ｙに透過して得られる液晶パネル１１１の出射光に係る色度領域に関して、緑色及び黄色の各色域がそれぞれさらに拡張されるので、液晶パネル１１１に表示される画像に係る色再現性がさらに向上する。そして、液晶パネル１１１の出射光における色度領域を、ＣＩＥ１９７６色度図に加えて、ＣＩＥ１９３１色度図においてもＤＣＩ規格に係るＤＣＩ色度領域と同等またはそれ以上（面積比で１００％または１００％以上）の広さとすることが可能となるので、より高い色再現性を得ることができる。
【００９０】
また、カラーフィルタ１２９のうち黄色を呈する黄色着色部１２９Ｙは、ピークの立ち上がり位置が４６０ｎｍ〜５６０ｎｍの範囲となる透過スペクトルを有している。このようにすれば、黄色を呈する黄色着色部１２９Ｙに係る透過スペクトルに、緑色蛍光体の発光スペクトルのピークが全域にわたって含まれるとともに赤色蛍光体の発光スペクトルのメインピーク、第１サブピーク、及び第２サブピークがそれぞれ全域にわたって含まれているから、ＬＥＤから発せられた高い色純度の緑色光と赤色光とが、黄色を呈する黄色着色部１２９Ｙを効率的に透過する。これにより、ＬＥＤからの緑色光及び赤色光に係る利用効率をより高く保つことができるとともに、液晶パネル１１１の出射光に係る色度領域における黄色の色域が広くなって色再現性により優れる。
【００９１】
＜実施形態３＞
本発明の実施形態３を図３１から図３４によって説明する。この実施形態３では、上記した実施形態１からバックライト装置２１２を直下型に変更したものを示す。なお、上記した実施形態１と同様の構造、作用及び効果について重複する説明は省略する。
【００９２】
本実施形態に係る液晶表示装置２１０は、図３１に示すように、液晶パネル２１１と、直下型のバックライト装置２１２とをベゼル２１３などにより一体化した構成とされる。なお、液晶パネル２１１の構成は、上記した実施形態１と同様であるから、重複する説明は省略する。以下、直下型のバックライト装置２１２の構成について説明する。
【００９３】
バックライト装置２１２は、図３２に示すように、光出射側（液晶パネル２１１側）に開口部を有した略箱型をなすシャーシ２１４と、シャーシ２１４の開口部を覆うようにして配される光学部材２１５と、シャーシ２１４の外縁部に沿って配され光学部材２１５の外縁部をシャーシ２１４との間で挟んで保持するフレーム２１６と、を備える。さらに、シャーシ２１４内には、光学部材２１５（液晶パネル２１１）の直下となる位置に対向状に配されるＬＥＤ２１７と、ＬＥＤ２１７が実装されたＬＥＤ基板２１８と、が備えられる。その上、シャーシ２１４内には、シャーシ２１４内の光を光学部材２１５側に反射させる反射シート５０が備えられる。このように本実施形態に係るバックライト装置２１２は、直下型であるから、実施形態１にて示したエッジライト型のバックライト装置１２で用いていた導光板１９が備えられていない。また、フレーム２１６の構成については、実施形態１とはフレーム側反射シート１６Ｒを有していない点以外は同様であるため、説明を省略する。続いて、バックライト装置２１２の各構成部品について詳しく説明する。
【００９４】
シャーシ２１４は、金属製とされ、図３２から図３４に示すように、液晶パネル２１１と同様に横長な方形状をなす底板２１４ａと、底板２１４ａの各辺の外端からそれぞれ表側（光出射側）に向けて立ち上がる側板２１４ｂと、各側板２１４ｂの立ち上がり端から外向きに張り出す受け板５１と、からなり、全体としては表側に向けて開口した浅い略箱型をなしている。シャーシ２１４は、その長辺方向がＸ軸方向（水平方向）と一致し、短辺方向がＹ軸方向（鉛直方向）と一致している。シャーシ２１４における各受け板５１には、表側からフレーム２１６及び次述する光学部材２１５が載置可能とされる。各受け板５１には、フレーム２１６がねじ止めされている。
【００９５】
次に、ＬＥＤ２１７が実装されるＬＥＤ基板２１８について説明する。ＬＥＤ基板２１８は、図３２から図３４に示すように、平面に視て横長の方形状（短冊状）をなす基材を有しており、長辺方向がＸ軸方向と一致し、短辺方向がＹ軸方向と一致する状態でシャーシ２１４内において底板２１４ａに沿って延在しつつ収容されている。ＬＥＤ基板２１８は、シャーシ２１４内においてＸ軸方向（行方向）に２枚ずつ、Ｙ軸方向（列方向）に９枚ずつ、合計１８枚がマトリクス状（行列状）に並列して配置されている。このＬＥＤ基板２１８の基材の板面のうち、表側を向いた面（光学部材２１５側を向いた面）には、ＬＥＤ２１７が表面実装されており、ここが実装面２１８ａとされる。また、ＬＥＤ基板２１８は、図示しない基板保持部材によってシャーシ２１４の底板２１４ａに対して保持されている。
【００９６】
ＬＥＤ２１７は、図３２に示すように、ＬＥＤ基板２１８の実装面２１８ａ上において長辺方向（Ｘ軸方向）に沿って複数が一列に間欠的に並んで配されている。ＬＥＤ２１７は、上記したようにシャーシ２１４の底板２１４ａに沿ってマトリクス状に複数枚ずつ並んで配されるＬＥＤ基板２１８のそれぞれに複数ずつ設けられているので、全体としてシャーシ２１４内においてＸ軸方向及びＹ軸方向に沿って複数ずつマトリクス状に平面配置されている。各ＬＥＤ基板２１８に実装されたＬＥＤ２１７は、その発光面２１７ａが光学部材２１５及び液晶パネル２１１と対向状をなすとともに、その光軸がＺ軸方向、つまり液晶パネル２１１の表示面と直交する方向と一致している。
【００９７】
反射シート５０は、図３２から図３４に示すように、シャーシ２１４の内面をほぼ全域にわたって覆う大きさ、つまり底板２１４ａに沿って平面配置された全ＬＥＤ基板２１８を一括して覆う大きさを有している。この反射シート５０によりシャーシ２１４内の光を光学部材２１５側に向けて反射させることができるようになっている。反射シート５０は、シャーシ２１４の底板２１４ａに沿って延在するとともに底板２１４ａの大部分を覆う大きさの底部５０ａと、底部５０ａの各外端から表側に立ち上がるとともに底部５０ａに対して傾斜状をなす４つの立ち上がり部５０ｂと、各立ち上がり部５０ｂの外端から外向きに延出するとともにシャーシ２１４の受け板５１に載せられる延出部５０ｃとから構成されている。この反射シート５０の底部５０ａが各ＬＥＤ基板２１８における表側の面、つまりＬＥＤ２１７の実装面２１８ａに対して表側に重なるよう配される。
【００９８】
以上説明したように本実施形態によれば、ＬＥＤ２１７は、光を発する発光面２１７ａを有するとともにその発光面２１７ａが液晶パネル２１１の板面に対して対向する形となるよう配されている。このようにすれば、ＬＥＤ２１７の発光面２１７ａから発せられた光は、発光面２１７ａに対して対向する形となるよう配される液晶パネル２１１の板面に向けて照射される。このような直下型のバックライト装置２１２によれば、ＬＥＤ２１７からの光がエッジライト型で用いられる導光板などの部材を介することなく、液晶パネル２１１に供給されるから、光の利用効率に一層優れる。
【００９９】
＜実施形態４＞
本発明の実施形態４を図３５から図３８によって説明する。この実施形態４では、上記した実施形態３において、ＬＥＤ基板３１８に拡散レンズ５２を取り付けるなどしたものを示す。なお、上記した実施形態３と同様の構造、作用及び効果について重複する説明は省略する。
【０１００】
本実施形態に係る液晶表示装置３１０に備えられるバックライト装置３１２は、図３５に示すように、ＬＥＤ基板３１８においてＬＥＤ３１７に対応した位置に取り付けられる拡散レンズ５２と、ＬＥＤ基板３１８をシャーシ３１４に対して取付状態に保持するための基板保持部材５３と、を備えている。
【０１０１】
拡散レンズ５２は、ほぼ透明で（高い透光性を有し）且つ屈折率が空気よりも高い合成樹脂材料（例えばポリカーボネートやアクリルなど）からなる。拡散レンズ５２は、図３６から図３８に示すように、所定の厚みを有するとともに、平面に視て略円形状に形成されており、ＬＥＤ基板３１８に対して各ＬＥＤ３１７を表側（光出射側）から個別に覆うよう、つまり平面に視て各ＬＥＤ３１７と重畳するようそれぞれ取り付けられている。そして、この拡散レンズ５２は、ＬＥＤ３１７から発せられた指向性の強い光を拡散させつつ出射させることができる。つまり、ＬＥＤ３１７から発せられた光は、拡散レンズ５２を介することにより指向性が緩和されるので、隣り合うＬＥＤ３１７間の間隔を広くとってもその間の領域が暗部として視認され難くなる。これにより、輝度ムラの発生を抑制しつつもＬＥＤ３１７の設置個数を少なくすることが可能となっている。この拡散レンズ５２は、平面に視てＬＥＤ３１７とほぼ同心となる位置に配されている。
【０１０２】
基板保持部材５３は、ポリカーボネートなどの合成樹脂製とされており、表面が光の反射性に優れた白色を呈する。基板保持部材５３は、図３７及び図３８に示すように、ＬＥＤ基板３１８の板面に沿う本体部と、本体部から裏側、つまりシャーシ３１４の底板３１４ａ側に向けて突出して底板３１４ａに固定される固定部とを備える。基板保持部材５３は、各ＬＥＤ基板３１８に対して複数ずつ取り付けられており、その配置がＬＥＤ３１７に対してＸ軸方向について隣り合うものとされる。なお、複数の基板保持部材５３には、本体部から表側に突出するとともに光学部材３１５を裏側から支持する支持部５３ａを有するものが含まれている。なお、反射シート３５０には、各拡散レンズ５２を通す孔と、各基板保持部材５３を通す孔とが対応する位置に開口して形成されている。
【０１０３】
＜他の実施形態＞
本発明は上記記述及び図面によって説明した実施形態に限定されるものではなく、例えば次のような実施形態も本発明の技術的範囲に含まれる。
（１）上記した各実施形態では、ＬＥＤに備えられる緑色蛍光体として、ピーク波長が５３３ｎｍとなるピークを含み且つその半値幅が５３ｎｍ程度とされる発光スペクトルを有するものを例示したが、これ以外に、ピークにおけるピーク波長の具体的な数値、ピークの半値幅の具体的な数値などが多少異なる発光スペクトルを有する緑色蛍光体を用いることも可能である。つまり、上記したピークにおけるピーク波長やピークの半値幅の具体的な数値は、緑色蛍光体の発光スペクトルの要件（ピーク波長が５２０ｎｍ〜５４０ｎｍの範囲となるピークを含み且つその半値幅が６０ｎｍ未満とされる発光スペクトル）を満たす範囲で適宜に変更可能である。
【０１０４】
（２）上記した各実施形態では、ＬＥＤに備えられる赤色蛍光体として、ピーク波長が６３０ｎｍとなるメインピークを含み且つその半値幅が８ｎｍ程度とされるとともに、ピーク波長が６１３ｎｍとなる第１サブピークと、ピーク波長が６４７ｎｍとなる第２サブピークと、を含む発光スペクトルを有するものを例示したが、これ以外に、メインピークにおけるピーク波長の具体的な数値、メインピークの半値幅の具体的な数値、第１サブピークにおけるピーク波長の具体的な数値、第２サブピークにおけるピーク波長の具体的な数値などが多少異なる発光スペクトルを有する赤色蛍光体を用いることも可能である。つまり、上記したメインピークにおけるピーク波長、メインピークの半値幅、第１サブピークにおけるピーク波長、及び第２サブピークにおけるピーク波長の具体的な数値は、赤色蛍光体の発光スペクトルの要件（ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトル）を満たす範囲で適宜に変更可能である。
【０１０５】
（３）上記した各実施形態では、ＬＥＤに備えられる緑色蛍光体として、酸窒化物蛍光体であり且つサイアロン系蛍光体の一種であるユーロピウム付活のβ−ＳｉＡｌＯＮを用いた場合を示したが、ユーロピウム以外の付活剤（例えばＴｂ，Ｙ，Ｃｅなどの希土類元素やＡｇなど）を用いたβ−ＳｉＡｌＯＮを用いることも可能である。さらには、緑色蛍光体の発光スペクトルの要件（ピーク波長が５２０ｎｍ〜５４０ｎｍの範囲となるピークを含み且つその半値幅が６０ｎｍ未満とされる発光スペクトル）を満たすのであれば、β−ＳｉＡｌＯＮ以外のサイアロン系蛍光体を用いることも可能である。また、緑色蛍光体の発光スペクトルの要件を満たすのであれば、サイアロン系蛍光体以外の酸窒化物蛍光体を用いることも可能である。また、緑色蛍光体の発光スペクトルの要件を満たすのであれば、酸窒化物蛍光体以外の蛍光体（例えば、酸化物蛍光体の一種であるＢＯＳＥ系蛍光体やＹＡＧ系蛍光体など）を用いることも可能である。
【０１０６】
（４）上記した各実施形態では、ＬＥＤに備えられる赤色蛍光体として、複フッ化物蛍光体の一種であるマンガン付活のケイフッ化カリウム（Ｋ2ＴｉＦ6）を用いた場合を示したが、マンガン以外の付活剤を用いたケイフッ化カリウムを用いることも可能である。さらには、赤色蛍光体の発光スペクトルの要件（ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトル）を満たすのであれば、ケイフッ化カリウム以外の複フッ化物蛍光体を用いることも可能である。また、赤色蛍光体の発光スペクトルの要件を満たすのであれば、複フッ化物蛍光体以外の蛍光体を用いることも可能である。
【０１０７】
（５）上記（４）に記載した「ケイフッ化カリウム以外の複フッ化物蛍光体」の具体例としては、例えばケイフッ化カリウムの珪素（Ｓｉ）に代えて、チタン（Ｔｉ）、ジルコニウム（Ｚｒ）、ハフニウム（Ｈｆ）、ゲルマニウム（Ｇｅ）及び錫（Ｓｎ）の中のいずれかを用いた構成の複フッ化物蛍光体を挙げることができる。その他にも、ケイフッ化カリウムのカリウム（Ｋ）に代えて、リチウム（Ｌｉ）、ナトリウム（Ｎａ）、ルビジウム（Ｒｂ）及びセシウム（Ｃｓ）の中のいずれかを用いた複フッ化物蛍光体を挙げることができる。さらには、ケイフッ化カリウムの珪素に代えて、珪素、チタン、ジルコニウム、ハフニウム、ゲルマニウム及び錫の中から複数を選択して用いた複フッ化物蛍光体を挙げることができる。
【０１０８】
（６）上記した各実施形態では、ＬＥＤに備えられる赤色蛍光体として、メインピークに対して短波長側の第１サブピークが相対的に高くなるのに対し、メインピークに対して長波長側の第２サブピークが相対的に低くなる発光スペクトルを有するものを用いた場合を示したが、第１サブピークと第２サブピークとの高さ関係が逆転した発光スペクトルを有する赤色蛍光体を用いることも可能である。
【０１０９】
（７）上記した各実施形態では、ＬＥＤに備えられる緑色蛍光体を１種類のみ用いた場合を示したが、複数種類の緑色蛍光体を併用することも可能である。その場合、複数種類の緑色蛍光体は、ピーク波長が互いに異なるピークを含む発光スペクトルや、半値幅が異なるピークを含む発光スペクトルを有する構成とされるのが好ましい。
【０１１０】
（８）上記した各実施形態では、ＬＥＤに備えられる赤色蛍光体を１種類のみ用いた場合を示したが、複数種類の赤色蛍光体を併用することも可能である。その場合、複数種類の赤色蛍光体は、互いにピーク波長が異なるメインピークを含む発光スペクトルや、ピーク波長が異なる第１サブピークを含む発光スペクトルや、ピーク波長が異なる第２サブピークを含む発光スペクトルや、半値幅が異なるメインピークを含む発光スペクトルを有する構成とされるのが好ましい。
【０１１１】
（９）上記した各実施形態では、ＬＥＤが緑色蛍光体及び赤色蛍光体を備える構成のものを示したが、緑色蛍光体及び赤色蛍光体に加えて黄色光を発光する黄色蛍光体を備えたＬＥＤについても本発明は適用可能である。黄色蛍光体の一例としては、例えば、サイアロン系蛍光体の一種であるα−ＳｉＡｌＯＮを用いることが可能である。
【０１１２】
（１０）上記した各実施形態では、ＬＥＤに備えられる青色ＬＥＤ素子として、ピーク波長が４４４ｎｍとなるピークを含み且つその半値幅が２０ｎｍ程度とされる発光スペクトルを有するものを例示したが、これ以外に、ピークにおけるピーク波長の具体的な数値、ピークの半値幅の具体的な数値などが多少異なる発光スペクトルを有する青色ＬＥＤ素子を用いることも可能である。つまり、上記したピークにおけるピーク波長やピークの半値幅の具体的な数値は、青色ＬＥＤ素子の発光スペクトルの要件（ピーク波長が４３０ｎｍ〜４６０ｎｍの範囲となるピークを含む発光スペクトル）を満たす範囲で適宜に変更可能である。
【０１１３】
（１１）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１１４】
（１２）上記した各実施形態では、頂面発光型のＬＥＤを用いた場合を例示したが、ＬＥＤ基板の実装面に対して隣接する側面が発光面となる側面発光型のＬＥＤを用いることも可能である。
【０１１５】
（１３）上記した各実施形態以外にも、ＬＥＤにおける機械的な構造（ケースの形状やリードフレームの形状など）は適宜に変更可能である。
【０１１６】
（１４）上記した各実施形態では、カラーフィルタに備えられる緑色着色部として、ピーク波長が５３０ｎｍとなるピークを含み且つその半値幅が９２ｎｍ程度となる透過スペクトルを有するものを例示したが、これ以外に、ピークにおけるピーク波長の具体的な数値、ピークの半値幅の具体的な数値などが多少異なる透過スペクトルを有する緑色着色部を用いることも可能である。つまり、上記したピークにおけるピーク波長やピークの半値幅の具体的な数値は、緑色着色部の透過スペクトルの要件（ピーク波長が５１０ｎｍ〜５５０ｎｍの範囲となるピークを含み且つその半値幅が１１０ｎｍ未満とされる透過スペクトル）を満たす範囲で適宜に変更可能である。
【０１１７】
（１５）上記した各実施形態では、カラーフィルタに備えられる赤色着色部として、ピークの立ち上がり位置が５６６ｎｍ程度となり、ピークの半値となる波長が５８８ｎｍ程度となる透過スペクトルを有するものを例示したが、これ以外に、ピークにおける立ち上がり位置及びピークの半値となる波長の具体的な数値が多少異なる発光スペクトルを有する赤色着色部を用いることも可能である。つまり、上記したピークにおける立ち上がり位置及びピークの半値となる波長の具体的な数値は、赤色着色部の透過スペクトルの要件（ピークの立ち上がり位置が５６０ｎｍ以上、またはピークの半値となる波長が５８０ｎｍ以上とされる透過スペクトル）を満たす範囲で適宜に変更可能である。
【０１１８】
（１６）上記した各実施形態では、カラーフィルタに備えられる青色着色部として、ピーク波長が４５５ｎｍとなるピークを含み且つその半値幅が１０５ｎｍ程度となる透過スペクトルを有するものを例示したが、これ以外に、ピークにおけるピーク波長の具体的な数値、ピークの半値幅の具体的な数値などが多少異なる透過スペクトルを有する青色着色部を用いることも可能である。つまり、上記したピークにおけるピーク波長やピークの半値幅の具体的な数値は、青色着色部の透過スペクトルの要件（ピーク波長が４４０ｎｍ〜４８０ｎｍの範囲となるピークを含み且つその半値幅が１１０ｎｍ未満とされる透過スペクトル）を満たす範囲で適宜に変更可能である。
【０１１９】
（１７）上記した実施形態２では、カラーフィルタに備えられる黄色着色部として、ピークの立ち上がり位置が４７０ｎｍ程度となり、ピークの半値となる波長が５０６ｎｍ程度となる透過スペクトルを有するものを例示したが、これ以外に、ピークにおける立ち上がり位置及びピークの半値となる波長の具体的な数値が多少異なる発光スペクトルを有する黄色着色部を用いることも可能である。つまり、上記したピークにおける立ち上がり位置及びピークの半値となる波長の具体的な数値は、黄色着色部の透過スペクトルの要件（ピークの立ち上がり位置が４６０ｎｍ〜５６０ｎｍの範囲、またはピークの半値となる波長が４８０ｎｍ〜５８０ｎｍの範囲とされる透過スペクトル）を満たす範囲で適宜に変更可能である。
【０１２０】
（１８）上記した実施形態２では、黄色着色部及び緑色着色部に対する青色着色部及び赤色着色部の面積比率を１．６とした場合を例示したが、青色着色部及び赤色着色部の各面積を、黄色着色部及び緑色着色部の各面積よりも大きく保った上で、上記面積比率の具体的な数値を適宜に変更することが可能である。
【０１２１】
（１９）上記した実施形態２では、カラーフィルタを構成する青色着色部及び赤色着色部と、緑色着色部及び黄色着色部とで面積比率が異なるものを示したが、青色着色部及び赤色着色部と、緑色着色部及び黄色着色部との面積比率を等しくすることも可能である。また、青色着色部と赤色着色部との面積比率が互いに異なる設定とすることも可能である。同様に、緑色着色部と黄色着色部との面積比率が互いに異なる設定とすることも可能である。また、各実施形態において、カラーフィルタを構成する各着色部の並び順や面積比率などについて適宜に変更可能である。
【０１２２】
（２０）上記した実施形態２では、赤色着色部、緑色着色部及び青色着色部に黄色着色部を加えた構成のカラーフィルタを例示したが、黄色着色部に代えて、例えばシアン色の光を選択的に透過するシアン色着色部を用いることも可能である。また、シアン色以外の色を呈する着色部を黄色着色部に代えて追加することも可能である。さらには、黄色着色部に代えて、波長選択性を有さない無着色部を追加することも可能である。
【０１２３】
（２１）上記した各実施形態では、液晶パネルが有するカラーフィルタの着色部を３色または４色としたものを例示したが、着色部を５色以上とすることも可能である。
【０１２４】
（２２）上記した各実施形態において、カラーフィルタを構成する各着色部に所定の顔料または染料を含有させることで、各色を呈するよう製造することが可能である。
【０１２５】
（２３）上記した実施形態１では、エッジライト型のバックライト装置において、ＬＥＤ基板（ＬＥＤ）がシャーシ（導光板）における両長辺側の端部に一対配されるものを示したが、例えばＬＥＤ基板（ＬＥＤ）がシャーシ（導光板）における両短辺側の端部に一対配されるものも本発明に含まれる。
【０１２６】
（２４）上記した（２３）以外にも、ＬＥＤ基板（ＬＥＤ）をシャーシ（導光板）における両長辺及び両短辺の各端部に対して一対ずつ配したものや、逆にＬＥＤ基板（ＬＥＤ）をシャーシ（導光板）における一方の長辺または一方の短辺の端部に対してのみ１つ配したものも本発明に含まれる。
【０１２７】
（２５）上記した実施形態３，４に記載した構成を、実施形態２に記載した構成に組み合わせることも勿論可能である。
【０１２８】
（２６）上記した実施形態３に記載した直下型のバックライト装置において、ＬＥＤ基板におけるＬＥＤの設置数や配列ピッチ、シャーシにおけるＬＥＤ基板の設置数、ＬＥＤ基板の大きさなどは適宜に変更可能である。
【０１２９】
（２７）上記した実施形態４では、直下型のバックライト装置において、全てのＬＥＤに対して個別に拡散レンズを取り付けるようにしたものを例示したが、一部のＬＥＤにのみ拡散レンズを取り付けるようにしても構わない。また、ＬＥＤ基板におけるＬＥＤの設置数や配列ピッチ、シャーシにおけるＬＥＤ基板の設置数、ＬＥＤ基板の大きさなどは適宜に変更可能である。
【０１３０】
（２８）上記した各実施形態では、光源としてＬＥＤを用いたものを示したが、有機ＥＬなどの他の光源を用いることも可能である。
【０１３１】
（２９）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１３２】
（３０）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１３３】
（３１）上記した各実施形態では、表示パネルとして液晶パネルを用いた液晶表示装置を例示したが、他の種類の表示パネルを用いた表示装置にも本発明は適用可能である。
【０１３４】
（３２）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１３５】
１０，１１０，２１０，３１０…液晶表示装置（表示装置）、１０Ｔ，１１０Ｔ…チューナー（受信部）、１０ＴＶ，１１０ＴＶ…テレビ受信装置、１１，１１１，２１１…液晶パネル（表示パネル）、１２，２１２，３１２…バックライト装置（照明装置）、１７，２１７，３１７…ＬＥＤ（光源）、１７ａ，２１７ａ…発光面、１９…導光板、１９ａ…光出射面、１９ｂ…光入射面、２９，１２９…カラーフィルタ、２９Ｂ，１２９Ｂ…青色着色部（青色を呈する着色部）、２９Ｇ，１２９Ｇ…緑色着色部（緑色を呈する着色部）、２９Ｒ，１２９Ｒ…赤色着色部（赤色を呈する着色部）、４０…青色ＬＥＤ素子（青色発光素子）、１２９Ｙ…黄色着色部（黄色を呈する着色部）
【図１】
2015194636.tif 000003
【図２】
2015194636.tif 000004
【図３】
2015194636.tif 000005
【図４】
2015194636.tif 000006
【図５】
2015194636.tif 000007
【図６】
2015194636.tif 000008
【図７】
2015194636.tif 000009
【図８】
2015194636.tif 000010
【図９】
2015194636.tif 000011
【図１０】
2015194636.tif 000012
【図１１】
2015194636.tif 000013
【図１２】
2015194636.tif 000014
【図１３】
2015194636.tif 000015
【図１４】
2015194636.tif 000016
【図１５】
2015194636.tif 000017
【図１６】
2015194636.tif 000018
【図１７】
2015194636.tif 000019
【図１８】
2015194636.tif 000020
【図１９】
2015194636.tif 000021
【図２０】
2015194636.tif 000022
【図２１】
2015194636.tif 000023
【図２２】
2015194636.tif 000024
【図２３】
2015194636.tif 000025
【図２４】
2015194636.tif 000026
【図２５】
2015194636.tif 000027
【図２６】
2015194636.tif 000028
【図２７】
2015194636.tif 000029
【図２８】
2015194636.tif 000030
【図２９】
2015194636.tif 000031
【図３０】
2015194636.tif 000032
【図３１】
2015194636.tif 000033
【図３２】
2015194636.tif 000034
【図３３】
2015194636.tif 000035
【図３４】
2015194636.tif 000036
【図３５】
2015194636.tif 000037
【図３６】
2015194636.tif 000038
【図３７】
2015194636.tif 000039
【図３８】
2015194636.tif 000040
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
青色光を発光する青色発光素子と、前記青色発光素子からの青色光に励起されて緑色光を発光する緑色蛍光体であって、ピーク波長が５２０ｎｍ〜５４０ｎｍの範囲となるピークを含み且つその半値幅が６０ｎｍ未満とされる発光スペクトルの緑色蛍光体と、前記青色発光素子からの青色光に励起されて赤色光を発光する赤色蛍光体であって、ピーク波長が６２９ｎｍ〜６３５ｎｍの範囲となるメインピークを含み且つその半値幅が１０ｎｍ未満とされ、さらにはピーク波長が６０７ｎｍ〜６１４ｎｍの範囲となる第１サブピークを含むとともにピーク波長が６４５ｎｍ〜６４８ｎｍの範囲となる第２サブピークを含む発光スペクトルの赤色蛍光体と、を有する光源を備える照明装置。
【請求項２】
前記緑色蛍光体には、酸窒化物蛍光体が含有されている請求項１記載の照明装置。
【請求項３】
前記酸窒化物蛍光体は、サイアロン系蛍光体からなる請求項２記載の照明装置。
【請求項４】
前記サイアロン系蛍光体は、付活剤としてユーロピウムを用いたβ−ＳｉＡｌＯＮとされる請求項３記載の照明装置。
【請求項５】
前記赤色蛍光体には、複フッ化物蛍光体が含有されている請求項１から請求項４のいずれか１項に記載の照明装置。
【請求項６】
前記複フッ化物蛍光体は、付活剤としてマンガンを用いたケイフッ化カリウムとされる請求項５記載の照明装置。
【請求項７】
前記青色発光素子は、ピーク波長が４３０ｎｍ〜４６０ｎｍの範囲となるピークを含む発光スペクトルを有している請求項１から請求項６のいずれか１項に記載の照明装置。
【請求項８】
請求項７記載の照明装置と、少なくとも青色、緑色、赤色を呈する複数の着色部からなるカラーフィルタを有し、前記照明装置からの光を利用して表示を行う表示パネルと、を備えており、
前記カラーフィルタのうち青色を呈する前記着色部は、ピーク波長が４４０ｎｍ〜４８０ｎｍの範囲となるピークを含み且つその半値幅が１１０ｎｍ未満とされる透過スペクトルを有している表示装置。
【請求項９】
請求項１から請求項７のいずれか１項に記載の照明装置と、少なくとも青色、緑色、赤色を呈する複数の着色部からなるカラーフィルタを有し、前記照明装置からの光を利用して表示を行う表示パネルと、を備えており、
前記カラーフィルタのうち緑色を呈する前記着色部は、ピーク波長が５１０ｎｍ〜５５０ｎｍの範囲となるピークを含み且つその半値幅が１１０ｎｍ未満とされる透過スペクトルを有している表示装置。
【請求項１０】
請求項１から請求項７のいずれか１項に記載の照明装置と、少なくとも青色、緑色、赤色を呈する複数の着色部からなるカラーフィルタを有し、前記照明装置からの光を利用して表示を行う表示パネルと、を備えており、
前記カラーフィルタのうち赤色を呈する前記着色部は、ピークの立ち上がり位置が５６０ｎｍ以上となる透過スペクトルを有している表示装置。
【請求項１１】
請求項１から請求項７のいずれか１項に記載の照明装置と、少なくとも青色、緑色、赤色を呈する複数の着色部からなるカラーフィルタを有し、前記照明装置からの光を利用して表示を行う表示パネルと、を備えており、
前記カラーフィルタを構成する前記着色部には、黄色を呈するものが含まれている表示装置。
【請求項１２】
前記カラーフィルタのうち黄色を呈する前記着色部は、ピークの立ち上がり位置が４６０ｎｍ〜５６０ｎｍの範囲となる透過スペクトルを有している請求項１１記載の表示装置。
【請求項１３】
請求項１から請求項７のいずれか１項に記載の照明装置と、少なくとも青色、緑色、赤色を呈する複数の着色部からなるカラーフィルタを有し、前記照明装置からの光を利用して表示を行う表示パネルと、を備えており、
前記光源は、光を発する発光面を有するとともにその発光面が前記表示パネルの板面に対して対向する形となるよう配されている表示装置。
【請求項１４】
請求項１から請求項７のいずれか１項に記載の照明装置と、少なくとも青色、緑色、赤色を呈する複数の着色部からなるカラーフィルタを有し、前記照明装置からの光を利用して表示を行う表示パネルと、を備えており、
前記照明装置は、前記光源と対向する形で配されて前記光源からの光が入射される光入射面が端面に有されるとともに、前記表示パネルの板面と対向する形で配されて前記表示パネルに向けて光を出射する光出射面が板面に有される導光板を備えている表示装置。
【請求項１５】
請求項８から請求項１４のいずれか１項に記載された表示装置と、テレビ信号を受信可能な受信部とを備えるテレビ受信装置。
【手続補正３】
【補正対象書類名】明細書
【補正対象項目名】０００１
【補正方法】変更
【補正の内容】
【０００１】
本発明は、照明装置、表示装置及びテレビ受信装置に関する。
【手続補正４】
【補正対象書類名】明細書
【補正対象項目名】００５４
【補正方法】変更
【補正の内容】
【００５４】
ＬＥＤの色度は、ＬＥＤから発せられた光を例えば分光測色計などにより測定し得ている。液晶パネルからの出射光の輝度比は、実施例１及び比較例１，２に係る各液晶表示装置において、液晶パネルを最も高輝度となるよう白色表示させた状態での輝度値をそれぞれ測定し、その中の比較例１における輝度値を基準（１００％）とした相対値である。液晶パネルからの出射光の色度は、液晶パネルに白色表示させた状態と、液晶パネルに赤色の原色を表示させた状態と、緑色の原色を表示させた状態と、青色の原色を表示させた状態と、でそれぞれカラーフィルタを透過した光を、分光測色計などにより測定して得ている。液晶パネルからの出射光に係る色度領域におけるＮＴＳＣ比、ＢＴ．７０９比、ＤＣＩ比、及びＢＴ．２０２０比は、実施例１及び比較例１，２に係る各液晶表示装置において、液晶パネルの出射光に係る色度領域の各規格に対する面積比である。液晶パネルの出射光に係る色度領域は、液晶パネルに赤色の原色を表示させたときの色度（赤色の色度、赤色の原色点）と、緑色の原色を表示させたときの色度（緑色の色度、緑色の原色点）と、青色の原色を表示させたときの色度（青色の色度、青色の原色点）と、をそれぞれ測定し、それらの各色度を各色度図にプロットしたときに表れる、各色度を頂点とした三角形の領域である。